(57)【要約】【課題】液体収容体を装着部材に取り付ける際に、取付け方向を容易に判別できる液体収容体を提供する。【解決手段】液体を収容する液体収容体１０１と、前記液体収容体１０１は、第１の面を備え、前記第１の面と交差した第２の面と、前記第２の面と対向する第３の面とを含み、前記第１の面に、前記液体収容体１０１の長手方向が開口した溝部１０１ｍと、前記第２の面に沿って前記液体収容体１０１の長手方向に突出した第１の突出部１０１ａと、前記第３の面に沿って前記液体収容体１０１の長手方向に突出した第２の突出部１０１ｂと、前記第２の面と、前記溝部１０１ｍを構成する面と、を貫通する孔１０１ｄと、前記第３の面と、前記溝部１０１ｍを構成する面と、を貫通する孔１０１ｄと、を備えたことを特徴とする液体収容体。【選択図】図１Ｃ
2018161752.tif 000002
【特許請求の範囲】
【請求項１】
液体を収容する液体収容体と、
前記液体収容体は、第１の面を備え、
前記第１の面と交差した第２の面と、
前記第２の面と反対側の第３の面とを含み、
前記第１の面に、前記液体収容体の長手方向が開口した溝部と、
前記第２の面に沿って前記液体収容体の長手方向に突出した第１の突出部と、
前記第３の面に沿って前記液体収容体の長手方向に突出した第２の突出部と、
前記第２の面と、前記溝部を構成する面とを貫通する孔と、
前記第３の面と、前記溝部を構成する面とを貫通する孔と、
を備えたことを特徴とする液体収容体。
【請求項２】
前記液体収容体と、
液体収容体を取付け可能に保持する装着部材と、
前記装着部材が搭載された記録部と、を備え、
前記装着部材に前記液体収容体が取り付けられ、
前記液体収容体から供給される液体を用いて前記記録部が印刷動作を行う、
ことを特徴とする液体噴射装置。
【発明の詳細な説明】
【技術分野】
【０００１】
本発明は、液体収容体及び液体噴射装置に関する。
【背景技術】
【０００２】
液体噴射ヘッドおよび液体（インク）を収容した複数の液体収容体（カートリッジ）を搭載した装着部材（キャリッジ）が、被記録部材上を往復運動して液体収容体に収容された液体を被記録部材に噴射することにより印刷する液体噴射装置が知られている。被記録部材に印刷動作を行うことにより、液体収容体に収容された液体が消費され液体の残量が一定量を下回ると、液体噴射装置に設けられた表示部に液体収容体の交換指示が表示される。使用者は、交換指示に従い新品の液体収容体を所定の取り付け方向に沿って取り付けることにより液体が補充され、印刷動作を継続することができる。従って、液体収容体は、装着部材に取り付け可能に構成されており、液体収容体を取り付ける際には、所定の取り付け方向に沿って液体収容体を装着部材に取り付けていた。（例えば、特許文献１参照）。
【先行技術文献】
【特許文献】
【０００３】
【特許文献１】特開平１１−７８０４３号公報
【発明の概要】
【発明が解決しようとする課題】
【０００４】
しかしながら、液体収容体を新品に交換する際には、装着部材に液体収容体を取り付ける方向が分かりにくいため、使用者が液体収容体の装着方向を変えて試行錯誤を生じることがあり、その際に誤って液体吐出口に指先が触れて液体により指先が汚れてしまう虞がある。
【課題を解決するための手段】
【０００５】
本発明は、上述の課題の少なくとも一部を解決するためになされたものであり、以下の形態または適用例として実現することが可能である。
【０００６】
［適用例１］
本適用例に係る液体収容体は、液体を収容する液体収容体と、前記液体収容体は、第１の面を備え、前記第１の面と交差した第２の面と、前記第２の面と反対側の第３の面とを含み、前記第１の面に、前記液体収容体の長手方向が開口した溝部と、前記第２の面に沿って前記液体収容体の長手方向に突出した第１の突出部と、前記第３の面に沿って前記液体収容体の長手方向に突出した第２の突出部と、前記第２の面と、前記溝部を構成する面とを貫通する孔と、前記第３の面と、前記溝部を構成する面とを貫通する孔と、を備えたことを特徴とする。
【０００７】
本適用例によれば、液体収容体の第１の面に液体収容体の長手方向に開口した溝部を設け、さらに、第２の面および第３の面に沿った第１および第２の突出部を設けたことにより、液体収容体を装着部材に取り付ける方向が容易に判別できるため、液体収容体の装着時に試行錯誤を繰り返すことを防ぐことができる。さらに、試行錯誤を繰り返す中で使用者の指先に誤って液体が付着することを防いだ液体収容体を提供することができる。
【０００８】
［適用例２］
本適用例に係る液体噴射装置は、前記液体収容体と、液体収容体を取付け可能に保持する装着部材と、前記装着部材が搭載された記録部と、を備え、前記装着部材に前記液体収容体が取り付けられ、前記液体収容体から供給される液体を用いて前記記録部が印刷動作を行う、ことを特徴とする。
【０００９】
本適用例によれば、液体収容体に突出部が設けられることにより、装着部材に液体収容体を取り付ける際に、装着部材への取付け方向が判別しやすくなる。従って、液体収容体を装着部材に取り付ける際に、試行錯誤を繰り返すことなく取り付けることができるため、使用者の指先に液体が付着することを防いで、電子回路基板の接点部をきれいな状態に維持する液体噴射装置を提供することができる。
【図面の簡単な説明】
【００１０】
【図１Ａ】第１実施形態にかかる液体噴射装置の主要構成を示す斜視図。
【図１Ｂ】第１実施形態にかかる装着部位と液体収容体との組立断面図。
【図１Ｃ】第１実施形態にかかる液体収容体の斜視図。
【図１Ｄ】液体収容体の−Ｘ方向から見た正面図。
【図１Ｅ】液体収容体の＋Ｚ方向から見た上面図。
【図１Ｆ】液体収容体の−Ｚ方向から見た下面図。
【図１Ｇ】液体収容体の＋Ｙ方向から見た側面図。
【図１Ｈ】液体収容体の−Ｙ方向から見た側面図。
【図１Ｊ】液体収容体の＋Ｘ方向から見た側面図。
【図１Ｋ】第１実施形態の変形例１にかかる液体収容体の斜視図。
【図１Ｌ】液体収容体の−Ｘ方向から見た正面図。
【図１Ｍ】液体収容体の＋Ｚ方向から見た上面図。
【図１Ｎ】液体収容体の−Ｚ方向から見た下面図。
【図１Ｐ】液体収容体の＋Ｙ方向から見た側面図。
【図１Ｑ】液体収容体の−Ｙ方向から見た側面図。
【図１Ｒ】液体収容体の＋Ｘ方向から見た側面図。
【図１Ｓ】第１実施形態の変形例２にかかる液体収容体の斜視図。
【図１Ｔ】液体収容体の−Ｘ方向から見た正面図。
【図１Ｕ】液体収容体の＋Ｚ方向から見た上面図。
【図１Ｖ】液体収容体の−Ｚ方向から見た下面図。
【図１Ｗ】液体収容体の＋Ｙ方向から見た側面図。
【図１Ｘ】液体収容体の−Ｙ方向から見た側面図。
【図１Ｙ】液体収容体の＋Ｘ方向から見た側面図。
【図２Ａ】第２実施形態にかかる液体収容体の斜視図。
【図２Ｂ】液体収容体の−Ｘ方向から見た正面図。
【図２Ｃ】液体収容体の＋Ｚ方向から見た上面図。
【図２Ｄ】液体収容体の−Ｚ方向から見た下面図。
【図２Ｅ】液体収容体の＋Ｙ方向から見た側面図。
【図２Ｆ】液体収容体の−Ｙ方向から見た側面図。
【図２Ｇ】液体収容体の＋Ｘ方向から見た側面図。
【図３Ａ】第３実施形態にかかる液体収容体の斜視図。
【図３Ｂ】液体収容体の−Ｘ方向から見た正面図。
【図３Ｃ】液体収容体の＋Ｚ方向から見た上面図。
【図３Ｄ】液体収容体の−Ｚ方向から見た下面図。
【図３Ｅ】液体収容体の＋Ｙ方向から見た側面図。
【図３Ｆ】液体収容体の−Ｙ方向から見た側面図。
【図３Ｇ】液体収容体の＋Ｘ方向から見た側面図。
【図４Ａ】第４実施形態にかかる液体収容体の斜視図。
【図４Ｂ】液体収容体の−Ｘ方向から見た正面図。
【図４Ｃ】液体収容体の＋Ｚ方向から見た上面図。
【図４Ｄ】液体収容体の−Ｚ方向から見た下面図。
【図４Ｅ】液体収容体の＋Ｙ方向から見た側面図。
【図４Ｆ】液体収容体の−Ｙ方向から見た側面図。
【図４Ｇ】液体収容体の＋Ｘ方向から見た側面図。
【図５Ａ】第５実施形態にかかる液体収容体の斜視図。
【図５Ｂ】液体収容体の−Ｘ方向から見た正面図。
【図５Ｃ】液体収容体の＋Ｚ方向から見た上面図。
【図５Ｄ】液体収容体の−Ｚ方向から見た下面図。
【図５Ｅ】液体収容体の＋Ｙ方向から見た側面図。
【図５Ｆ】液体収容体の−Ｙ方向から見た側面図。
【図５Ｇ】液体収容体の＋Ｘ方向から見た側面図。
【図６Ａ】第６実施形態にかかる液体収容体の斜視図。
【図６Ｂ】液体収容体の−Ｘ方向から見た正面図。
【図６Ｃ】液体収容体の＋Ｚ方向から見た上面図。
【図６Ｄ】液体収容体の−Ｚ方向から見た下面図。
【図６Ｅ】液体収容体の＋Ｙ方向から見た側面図。
【図６Ｆ】液体収容体の−Ｙ方向から見た側面図。
【図６Ｇ】液体収容体の＋Ｘ方向から見た側面図。
【図６Ｈ】第６実施形態の変形例１にかかる液体収容体の斜視図。
【図６Ｊ】液体収容体の−Ｘ方向から見た正面図。
【図６Ｋ】液体収容体の＋Ｚ方向から見た上面図。
【図６Ｌ】液体収容体の−Ｚ方向から見た下面図。
【図６Ｍ】液体収容体の＋Ｙ方向から見た側面図。
【図６Ｎ】液体収容体の−Ｙ方向から見た側面図。
【図６Ｐ】液体収容体の＋Ｘ方向から見た側面図。
【図７Ａ】第７実施形態にかかる液体収容体の斜視図。
【図７Ｂ】液体収容体の−Ｘ方向から見た正面図。
【図７Ｃ】液体収容体の＋Ｚ方向から見た上面図。
【図７Ｄ】液体収容体の−Ｚ方向から見た下面図。
【図７Ｅ】液体収容体の＋Ｙ方向から見た側面図。
【図７Ｆ】液体収容体の−Ｙ方向から見た側面図。
【図７Ｇ】液体収容体の＋Ｘ方向から見た側面図。
【図７Ｈ】第７実施形態の変形例１にかかる液体収容体の斜視図。
【図７Ｊ】液体収容体の−Ｘ方向から見た正面図。
【図７Ｋ】液体収容体の＋Ｚ方向から見た上面図。
【図７Ｌ】液体収容体の−Ｚ方向から見た下面図。
【図７Ｍ】液体収容体の＋Ｙ方向から見た側面図。
【図７Ｎ】液体収容体の−Ｙ方向から見た側面図。
【図７Ｐ】液体収容体の＋Ｘ方向から見た側面図。
【図８Ａ】第８実施形態にかかる液体収容体の斜視図。
【図８Ｂ】液体収容体の−Ｘ方向から見た正面図。
【図８Ｃ】液体収容体の＋Ｚ方向から見た上面図。
【図８Ｄ】液体収容体の−Ｚ方向から見た下面図。
【図８Ｅ】液体収容体の＋Ｙ方向から見た側面図。
【図８Ｆ】液体収容体の−Ｙ方向から見た側面図。
【図８Ｇ】液体収容体の＋Ｘ方向から見た側面図。
【図８Ｈ】第８実施形態の変形例１にかかる液体収容体の斜視図。
【図８Ｊ】液体収容体の−Ｘ方向から見た正面図。
【図８Ｋ】液体収容体の＋Ｚ方向から見た上面図。
【図８Ｌ】液体収容体の−Ｚ方向から見た下面図。
【図８Ｍ】液体収容体の＋Ｙ方向から見た側面図。
【図８Ｎ】液体収容体の−Ｙ方向から見た側面図。
【図８Ｐ】液体収容体の＋Ｘ方向から見た側面図。
【図９Ａ】第９実施形態にかかる液体収容体の斜視図。
【図９Ｂ】液体収容体の−Ｘ方向から見た正面図。
【図９Ｃ】液体収容体の＋Ｚ方向から見た上面図。
【図９Ｄ】液体収容体の−Ｚ方向から見た下面図。
【図９Ｅ】液体収容体の＋Ｙ方向から見た側面図。
【図９Ｆ】液体収容体の−Ｙ方向から見た側面図。
【図９Ｇ】液体収容体の＋Ｘ方向から見た側面図。
【図１０Ａ】第１０実施形態にかかる液体収容体の斜視図。
【図１０Ｂ】液体収容体の−Ｘ方向から見た正面図。
【図１０Ｃ】液体収容体の＋Ｚ方向から見た上面図。
【図１０Ｄ】液体収容体の−Ｚ方向から見た下面図。
【図１０Ｅ】液体収容体の＋Ｙ方向から見た側面図。
【図１０Ｆ】液体収容体の−Ｙ方向から見た側面図。
【図１０Ｇ】液体収容体の＋Ｘ方向から見た側面図。
【図１１Ａ】第１１実施形態にかかる液体収容体の斜視図。
【図１１Ｂ】液体収容体の−Ｘ方向から見た正面図。
【図１１Ｃ】液体収容体の＋Ｚ方向から見た上面図。
【図１１Ｄ】液体収容体の−Ｚ方向から見た下面図。
【図１１Ｅ】液体収容体の＋Ｙ方向から見た側面図。
【図１１Ｆ】液体収容体の−Ｙ方向から見た側面図。
【図１１Ｇ】液体収容体の＋Ｘ方向から見た側面図。
【図１１Ｈ】第１１実施形態の変形例１にかかる液体収容体の斜視図。
【図１１Ｊ】液体収容体の−Ｘ方向から見た正面図。
【図１１Ｋ】液体収容体の＋Ｚ方向から見た上面図。
【図１１Ｌ】液体収容体の−Ｚ方向から見た下面図。
【図１１Ｍ】液体収容体の＋Ｙ方向から見た側面図。
【図１１Ｎ】液体収容体の−Ｙ方向から見た側面図。
【図１１Ｐ】液体収容体の＋Ｘ方向から見た側面図。
【図１２Ａ】第１２実施形態にかかる液体収容体の斜視図。
【図１２Ｂ】液体収容体の−Ｘ方向から見た正面図。
【図１２Ｃ】液体収容体の＋Ｚ方向から見た上面図。
【図１２Ｄ】液体収容体の−Ｚ方向から見た下面図。
【図１２Ｅ】液体収容体の＋Ｙ方向から見た側面図。
【図１２Ｆ】液体収容体の−Ｙ方向から見た側面図。
【図１２Ｇ】液体収容体の＋Ｘ方向から見た側面図。
【図１３Ａ】第１３実施形態にかかる液体収容体の斜視図。
【図１３Ｂ】液体収容体の−Ｘ方向から見た正面図。
【図１３Ｃ】液体収容体の＋Ｚ方向から見た上面図。
【図１３Ｄ】液体収容体の−Ｚ方向から見た下面図。
【図１３Ｅ】液体収容体の＋Ｙ方向から見た側面図。
【図１３Ｆ】液体収容体の−Ｙ方向から見た側面図。
【図１３Ｇ】液体収容体の＋Ｘ方向から見た側面図。
【図１４Ａ】第１４実施形態にかかる液体収容体の斜視図。
【図１４Ｂ】液体収容体の−Ｘ方向から見た正面図。
【図１４Ｃ】液体収容体の＋Ｚ方向から見た上面図。
【図１４Ｄ】液体収容体の−Ｚ方向から見た下面図。
【図１４Ｅ】液体収容体の＋Ｙ方向から見た側面図。
【図１４Ｆ】液体収容体の−Ｙ方向から見た側面図。
【図１４Ｇ】液体収容体の＋Ｘ方向から見た側面図。
【図１４Ｈ】第１４実施形態の変形例１にかかる液体収容体の斜視図。
【図１４Ｊ】液体収容体の−Ｘ方向から見た正面図。
【図１４Ｋ】液体収容体の＋Ｚ方向から見た上面図。
【図１４Ｌ】液体収容体の−Ｚ方向から見た下面図。
【図１４Ｍ】液体収容体の＋Ｙ方向から見た側面図。
【図１４Ｎ】液体収容体の−Ｙ方向から見た側面図。
【図１４Ｐ】液体収容体の＋Ｘ方向から見た側面図。
【図１５Ａ】第１５実施形態にかかる液体収容体の斜視図。
【図１５Ｂ】液体収容体の−Ｘ方向から見た正面図。
【図１５Ｃ】液体収容体の＋Ｚ方向から見た上面図。
【図１５Ｄ】液体収容体の−Ｚ方向から見た下面図。
【図１５Ｅ】液体収容体の＋Ｙ方向から見た側面図。
【図１５Ｆ】液体収容体の−Ｙ方向から見た側面図。
【図１５Ｇ】液体収容体の＋Ｘ方向から見た側面図。
【図１６Ａ】第１６実施形態にかかる液体収容体の斜視図。
【図１６Ｂ】液体収容体の−Ｘ方向から見た正面図。
【図１６Ｃ】液体収容体の＋Ｚ方向から見た上面図。
【図１６Ｄ】液体収容体の−Ｚ方向から見た下面図。
【図１６Ｅ】液体収容体の＋Ｙ方向から見た側面図。
【図１６Ｆ】液体収容体の−Ｙ方向から見た側面図。
【図１６Ｇ】液体収容体の＋Ｘ方向から見た側面図。
【図１７Ａ】第１７実施形態にかかる液体収容体の斜視図。
【図１７Ｂ】液体収容体の−Ｘ方向から見た正面図。
【図１７Ｃ】液体収容体の＋Ｚ方向から見た上面図。
【図１７Ｄ】液体収容体の−Ｚ方向から見た下面図。
【図１７Ｅ】液体収容体の＋Ｙ方向から見た側面図。
【図１７Ｆ】液体収容体の−Ｙ方向から見た側面図。
【図１７Ｇ】液体収容体の＋Ｘ方向から見た側面図。
【図１８Ａ】第１８実施形態にかかる液体収容体の斜視図。
【図１８Ｂ】液体収容体の−Ｘ方向から見た正面図。
【図１８Ｃ】液体収容体の＋Ｚ方向から見た上面図。
【図１８Ｄ】液体収容体の−Ｚ方向から見た下面図。
【図１８Ｅ】液体収容体の＋Ｙ方向から見た側面図。
【図１８Ｆ】液体収容体の−Ｙ方向から見た側面図。
【図１８Ｇ】液体収容体の＋Ｘ方向から見た側面図。
【図１９Ａ】第１９実施形態にかかる液体収容体の斜視図。
【図１９Ｂ】液体収容体の−Ｘ方向から見た正面図。
【図１９Ｃ】液体収容体の＋Ｚ方向から見た上面図。
【図１９Ｄ】液体収容体の−Ｚ方向から見た下面図。
【図１９Ｅ】液体収容体の＋Ｙ方向から見た側面図。
【図１９Ｆ】液体収容体の−Ｙ方向から見た側面図。
【図１９Ｇ】液体収容体の＋Ｘ方向から見た側面図。
【図２０Ａ】第２０実施形態にかかる液体収容体の斜視図。
【図２０Ｂ】液体収容体の−Ｘ方向から見た正面図。
【図２０Ｃ】液体収容体の＋Ｚ方向から見た上面図。
【図２０Ｄ】液体収容体の−Ｚ方向から見た下面図。
【図２０Ｅ】液体収容体の＋Ｙ方向から見た側面図。
【図２０Ｆ】液体収容体の−Ｙ方向から見た側面図。
【図２０Ｇ】液体収容体の＋Ｘ方向から見た側面図。
【図２１Ａ】第２１実施形態にかかる液体収容体の斜視図。
【図２１Ｂ】液体収容体の−Ｘ方向から見た正面図。
【図２１Ｃ】液体収容体の＋Ｚ方向から見た上面図。
【図２１Ｄ】液体収容体の−Ｚ方向から見た下面図。
【図２１Ｅ】液体収容体の＋Ｙ方向から見た側面図。
【図２１Ｆ】液体収容体の−Ｙ方向から見た側面図。
【図２１Ｇ】液体収容体の＋Ｘ方向から見た側面図。
【図２２Ａ】第２２実施形態にかかる液体収容体の斜視図。
【図２２Ｂ】液体収容体の−Ｘ方向から見た正面図。
【図２２Ｃ】液体収容体の＋Ｚ方向から見た上面図。
【図２２Ｄ】液体収容体の−Ｚ方向から見た下面図。
【図２２Ｅ】液体収容体の＋Ｙ方向から見た側面図。
【図２２Ｆ】液体収容体の−Ｙ方向から見た側面図。
【図２２Ｇ】液体収容体の＋Ｘ方向から見た側面図。
【図２３Ａ】第２３実施形態にかかる液体収容体の斜視図。
【図２３Ｂ】液体収容体の−Ｘ方向から見た正面図。
【図２３Ｃ】液体収容体の＋Ｚ方向から見た上面図。
【図２３Ｄ】液体収容体の−Ｚ方向から見た下面図。
【図２３Ｅ】液体収容体の＋Ｙ方向から見た側面図。
【図２３Ｆ】液体収容体の−Ｙ方向から見た側面図。
【図２３Ｇ】液体収容体の＋Ｘ方向から見た側面図。
【図２４Ａ】第２４実施形態にかかる液体収容体の斜視図。
【図２４Ｂ】液体収容体の−Ｘ方向から見た正面図。
【図２４Ｃ】液体収容体の＋Ｚ方向から見た上面図。
【図２４Ｄ】液体収容体の−Ｚ方向から見た下面図。
【図２４Ｅ】液体収容体の＋Ｙ方向から見た側面図。
【図２４Ｆ】液体収容体の−Ｙ方向から見た側面図。
【図２４Ｇ】液体収容体の＋Ｘ方向から見た側面図。
【図２５Ａ】第２５実施形態にかかる液体収容体の斜視図。
【図２５Ｂ】液体収容体の−Ｘ方向から見た正面図。
【図２５Ｃ】液体収容体の＋Ｚ方向から見た上面図。
【図２５Ｄ】液体収容体の−Ｚ方向から見た下面図。
【図２５Ｅ】液体収容体の＋Ｙ方向から見た側面図。
【図２５Ｆ】液体収容体の−Ｙ方向から見た側面図。
【図２５Ｇ】液体収容体の＋Ｘ方向から見た側面図。
【図２６Ａ】第２６実施形態にかかる液体収容体の斜視図。
【図２６Ｂ】液体収容体の−Ｘ方向から見た正面図。
【図２６Ｃ】液体収容体の＋Ｚ方向から見た上面図。
【図２６Ｄ】液体収容体の−Ｚ方向から見た下面図。
【図２６Ｅ】液体収容体の＋Ｙ方向から見た側面図。
【図２６Ｆ】液体収容体の−Ｙ方向から見た側面図。
【図２６Ｇ】液体収容体の＋Ｘ方向から見た側面図。
【図２７Ａ】第２７実施形態にかかる液体収容体の斜視図。
【図２７Ｂ】液体収容体の−Ｘ方向から見た正面図。
【図２７Ｃ】液体収容体の＋Ｚ方向から見た上面図。
【図２７Ｄ】液体収容体の−Ｚ方向から見た下面図。
【図２７Ｅ】液体収容体の＋Ｙ方向から見た側面図。
【図２７Ｆ】液体収容体の−Ｙ方向から見た側面図。
【図２７Ｇ】液体収容体の＋Ｘ方向から見た側面図。
【図２８Ａ】第２８実施形態にかかる液体収容体の斜視図。
【図２８Ｂ】液体収容体の−Ｘ方向から見た正面図。
【図２８Ｃ】液体収容体の＋Ｚ方向から見た上面図。
【図２８Ｄ】液体収容体の−Ｚ方向から見た下面図。
【図２８Ｅ】液体収容体の＋Ｙ方向から見た側面図。
【図２８Ｆ】液体収容体の−Ｙ方向から見た側面図。
【図２８Ｇ】液体収容体の＋Ｘ方向から見た側面図。
【図２９Ａ】第２９実施形態にかかる液体収容体の斜視図。
【図２９Ｂ】液体収容体の−Ｘ方向から見た正面図。
【図２９Ｃ】液体収容体の＋Ｚ方向から見た上面図。
【図２９Ｄ】液体収容体の−Ｚ方向から見た下面図。
【図２９Ｅ】液体収容体の＋Ｙ方向から見た側面図。
【図２９Ｆ】液体収容体の−Ｙ方向から見た側面図。
【図２９Ｇ】液体収容体の＋Ｘ方向から見た側面図。
【図３０Ａ】第３０実施形態にかかる液体収容体の斜視図。
【図３０Ｂ】液体収容体の−Ｘ方向から見た正面図。
【図３０Ｃ】液体収容体の＋Ｚ方向から見た上面図。
【図３０Ｄ】液体収容体の−Ｚ方向から見た下面図。
【図３０Ｅ】液体収容体の＋Ｙ方向から見た側面図。
【図３０Ｆ】液体収容体の−Ｙ方向から見た側面図。
【図３０Ｇ】液体収容体の＋Ｘ方向から見た側面図。
【図３１Ａ】第３１実施形態にかかる液体収容体の斜視図。
【図３１Ｂ】液体収容体の−Ｘ方向から見た正面図。
【図３１Ｃ】液体収容体の＋Ｚ方向から見た上面図。
【図３１Ｄ】液体収容体の−Ｚ方向から見た下面図。
【図３１Ｅ】液体収容体の＋Ｙ方向から見た側面図。
【図３１Ｆ】液体収容体の−Ｙ方向から見た側面図。
【図３１Ｇ】液体収容体の＋Ｘ方向から見た側面図。
【図３２Ａ】第３２実施形態にかかる液体収容体の斜視図。
【図３２Ｂ】液体収容体の−Ｘ方向から見た正面図。
【図３２Ｃ】液体収容体の＋Ｚ方向から見た上面図。
【図３２Ｄ】液体収容体の−Ｚ方向から見た下面図。
【図３２Ｅ】液体収容体の＋Ｙ方向から見た側面図。
【図３２Ｆ】液体収容体の−Ｙ方向から見た側面図。
【図３２Ｇ】液体収容体の＋Ｘ方向から見た側面図。
【図３３Ａ】第３３実施形態にかかる液体収容体の斜視図。
【図３３Ｂ】液体収容体の−Ｘ方向から見た正面図。
【図３３Ｃ】液体収容体の＋Ｚ方向から見た上面図。
【図３３Ｄ】液体収容体の−Ｚ方向から見た下面図。
【図３３Ｅ】液体収容体の＋Ｙ方向から見た側面図。
【図３３Ｆ】液体収容体の−Ｙ方向から見た側面図。
【図３３Ｇ】液体収容体の＋Ｘ方向から見た側面図。
【図３３Ｈ】第３３実施形態の変形例１にかかる液体収容体の斜視図。
【図３３Ｊ】液体収容体の−Ｘ方向から見た正面図。
【図３３Ｋ】液体収容体の＋Ｚ方向から見た上面図。
【図３３Ｌ】液体収容体の−Ｚ方向から見た下面図。
【図３３Ｍ】液体収容体の＋Ｙ方向から見た側面図。
【図３３Ｎ】液体収容体の−Ｙ方向から見た側面図。
【図３３Ｐ】液体収容体の＋Ｘ方向から見た側面図。
【図３４Ａ】第３４実施形態にかかる液体収容体の斜視図。
【図３４Ｂ】液体収容体の−Ｘ方向から見た正面図。
【図３４Ｃ】液体収容体の＋Ｚ方向から見た上面図。
【図３４Ｄ】液体収容体の−Ｚ方向から見た下面図。
【図３４Ｅ】液体収容体の＋Ｙ方向から見た側面図。
【図３４Ｆ】液体収容体の−Ｙ方向から見た側面図。
【図３４Ｇ】液体収容体の＋Ｘ方向から見た側面図。
【図３５Ａ】第３５実施形態にかかる液体収容体の斜視図。
【図３５Ｂ】液体収容体の−Ｘ方向から見た正面図。
【図３５Ｃ】液体収容体の＋Ｚ方向から見た上面図。
【図３５Ｄ】液体収容体の−Ｚ方向から見た下面図。
【図３５Ｅ】液体収容体の＋Ｙ方向から見た側面図。
【図３５Ｆ】液体収容体の−Ｙ方向から見た側面図。
【図３５Ｇ】液体収容体の＋Ｘ方向から見た側面図。
【図３６Ａ】第３６実施形態にかかる液体収容体の斜視図。
【図３６Ｂ】液体収容体の−Ｘ方向から見た正面図。
【図３６Ｃ】液体収容体の＋Ｚ方向から見た上面図。
【図３６Ｄ】液体収容体の−Ｚ方向から見た下面図。
【図３６Ｅ】液体収容体の＋Ｙ方向から見た側面図。
【図３６Ｆ】液体収容体の−Ｙ方向から見た側面図。
【図３６Ｇ】液体収容体の＋Ｘ方向から見た側面図。
【図３７Ａ】第３７実施形態にかかる液体収容体の斜視図。
【図３７Ｂ】液体収容体の−Ｘ方向から見た正面図。
【図３７Ｃ】液体収容体の＋Ｚ方向から見た上面図。
【図３７Ｄ】液体収容体の−Ｚ方向から見た下面図。
【図３７Ｅ】液体収容体の＋Ｙ方向から見た側面図。
【図３７Ｆ】液体収容体の−Ｙ方向から見た側面図。
【図３７Ｇ】液体収容体の＋Ｘ方向から見た側面図。
【図３８Ａ】第３８実施形態にかかる液体収容体の斜視図。
【図３８Ｂ】液体収容体の−Ｘ方向から見た正面図。
【図３８Ｃ】液体収容体の＋Ｚ方向から見た上面図。
【図３８Ｄ】液体収容体の−Ｚ方向から見た下面図。
【図３８Ｅ】液体収容体の＋Ｙ方向から見た側面図。
【図３８Ｆ】液体収容体の−Ｙ方向から見た側面図。
【図３８Ｇ】液体収容体の＋Ｘ方向から見た側面図。
【図３９Ａ】第３９実施形態にかかる液体収容体の斜視図。
【図３９Ｂ】液体収容体の−Ｘ方向から見た正面図。
【図３９Ｃ】液体収容体の＋Ｚ方向から見た上面図。
【図３９Ｄ】液体収容体の−Ｚ方向から見た下面図。
【図３９Ｅ】液体収容体の＋Ｙ方向から見た側面図。
【図３９Ｆ】液体収容体の−Ｙ方向から見た側面図。
【図３９Ｇ】液体収容体の＋Ｘ方向から見た側面図。
【図４０Ａ】第４０実施形態にかかる液体収容体の斜視図。
【図４０Ｂ】液体収容体の−Ｘ方向から見た正面図。
【図４０Ｃ】液体収容体の＋Ｚ方向から見た上面図。
【図４０Ｄ】液体収容体の−Ｚ方向から見た下面図。
【図４０Ｅ】液体収容体の＋Ｙ方向から見た側面図。
【図４０Ｆ】液体収容体の−Ｙ方向から見た側面図。
【図４０Ｇ】液体収容体の＋Ｘ方向から見た側面図。
【図４１Ａ】第４１実施形態にかかる液体収容体の斜視図。
【図４１Ｂ】液体収容体の−Ｘ方向から見た正面図。
【図４１Ｃ】液体収容体の＋Ｚ方向から見た上面図。
【図４１Ｄ】液体収容体の−Ｚ方向から見た下面図。
【図４１Ｅ】液体収容体の＋Ｙ方向から見た側面図。
【図４１Ｆ】液体収容体の−Ｙ方向から見た側面図。
【図４１Ｇ】液体収容体の＋Ｘ方向から見た側面図。
【図４１Ｈ】第４１実施形態の変形例１にかかる液体収容体の斜視図。
【図４１Ｊ】液体収容体の−Ｘ方向から見た正面図。
【図４１Ｋ】液体収容体の＋Ｚ方向から見た上面図。
【図４１Ｌ】液体収容体の−Ｚ方向から見た下面図。
【図４１Ｍ】液体収容体の＋Ｙ方向から見た側面図。
【図４１Ｎ】液体収容体の−Ｙ方向から見た側面図。
【図４１Ｐ】液体収容体の＋Ｘ方向から見た側面図。
【図４２Ａ】第４２実施形態にかかる液体収容体の斜視図。
【図４２Ｂ】液体収容体の−Ｘ方向から見た正面図。
【図４２Ｃ】液体収容体の＋Ｚ方向から見た上面図。
【図４２Ｄ】液体収容体の−Ｚ方向から見た下面図。
【図４２Ｅ】液体収容体の＋Ｙ方向から見た側面図。
【図４２Ｆ】液体収容体の−Ｙ方向から見た側面図。
【図４２Ｇ】液体収容体の＋Ｘ方向から見た側面図。
【図４３Ａ】第４３実施形態にかかる液体収容体の斜視図。
【図４３Ｂ】液体収容体の−Ｘ方向から見た正面図。
【図４３Ｃ】液体収容体の＋Ｚ方向から見た上面図。
【図４３Ｄ】液体収容体の−Ｚ方向から見た下面図。
【図４３Ｅ】液体収容体の＋Ｙ方向から見た側面図。
【図４３Ｆ】液体収容体の−Ｙ方向から見た側面図。
【図４３Ｇ】液体収容体の＋Ｘ方向から見た側面図。
【図４４Ａ】第４４実施形態にかかる液体収容体の斜視図。
【図４４Ｂ】液体収容体の−Ｘ方向から見た正面図。
【図４４Ｃ】液体収容体の＋Ｚ方向から見た上面図。
【図４４Ｄ】液体収容体の−Ｚ方向から見た下面図。
【図４４Ｅ】液体収容体の＋Ｙ方向から見た側面図。
【図４４Ｆ】液体収容体の−Ｙ方向から見た側面図。
【図４４Ｇ】液体収容体の＋Ｘ方向から見た側面図。
【図４５Ａ】第４５実施形態にかかる液体収容体の斜視図。
【図４５Ｂ】液体収容体の−Ｘ方向から見た正面図。
【図４５Ｃ】液体収容体の＋Ｚ方向から見た上面図。
【図４５Ｄ】液体収容体の−Ｚ方向から見た下面図。
【図４５Ｅ】液体収容体の＋Ｙ方向から見た側面図。
【図４５Ｆ】液体収容体の−Ｙ方向から見た側面図。
【図４５Ｇ】液体収容体の＋Ｘ方向から見た側面図。
【発明を実施するための形態】
【００１１】
以下、本発明の実施形態について、図面を参照して説明する。なお、以下の各図においては、各層や各部材を認識可能な程度の大きさにするため、各層や各部材の尺度を実際とは異ならせしめている。また、液体噴射装置の一例であるインクジェットプリンター（以下プリンターと呼ぶ）を例に各実施形態を説明する。
【００１２】
（第１実施形態）
［プリンターの構成］
図１Ａは、第１実施形態に係るプリンターに搭載されている主要構成の斜視図であり、図１Ｂは、液体収容体に搭載された装着部位および液体収容体が組み込まれた状態の組立断面図である。図１Ａおよび図１Ｂには、相互に直行する座標軸であるＸＹＺ軸が示されている。本実施形態では、Ｘ軸とＹ軸とによって規定される水平な平面（ＸＹ平面）にプリンター１を配置した状態が、プリンター１の使用状態である。ＸＹ平面にプリンター１を配置したときのプリンター１の姿勢を、プリンター１の使用姿勢と呼ぶ。
【００１３】
Ｚ軸は、ＸＹ平面に直行する軸であり、プリンター１の使用状態において、Ｚ軸に沿った方向が鉛直方向となる。そして、プリンター１の使用状態では、図１Ａおよび図１Ｂにおいて、−Ｚ方向が鉛直下方向である。なお、ＸＹＺ軸のそれぞれにおいて、矢印の向きが＋（正）方向を示し、矢印の向きとは反対の向きが−（負）の方向を示している。
【００１４】
まず、実施形態１に係るプリンター１の要部の概略構成について図１Ａを用いて説明する。プリンター１は、記録部１０と、駆動部２０と、制御部３０とから構成されている。記録部１０は、液体収容体としてのカートリッジ１０１と、装着部材としてのキャリッジ１１と、液体噴射ヘッド１２を含んで構成されて記録媒体Ｐに印刷動作を行う。カートリッジ１０１には、液体としてのインクが収容されており、液体噴射ヘッド１２にインクを供給している。液体噴射ヘッド１２は、後述する制御部３０によりインクの噴射が制御されて記録媒体Ｐの所定の位置に、インクを噴射する。また、制御部３０は、噴射されたインクの噴射量からカートリッジ１０１に収容されているインクの残量を記録している。駆動部２０は、記録媒体Ｐを主走査方向Ｄ１であるＸ方向に沿って送る紙送り駆動部２１と、キャリッジ１１を副走査方向Ｄ２であるＹ方向に沿って往復運動をさせるキャリッジ駆動部２２を有している。制御部３０は、図示しないケーブルにより後述する駆動部２０と接続されており、紙送り駆動部２１と、キャリッジ駆動部２２とに搭載されたモーターなどを制御している。
【００１５】
制御部３０は、液体噴射ヘッド１２と接続されたとフレキシブルケーブル３１を介して接続されており、液体噴射ヘッド１２から噴出するインクを制御している。さらに、制御部３０は、紙送り駆動部２１およびキャリッジ駆動部２２を制御している。つまり、制御部３０の制御により、記録媒体Ｐの所定の位置に、紙送り駆動部２１により副走査方向Ｄ２を制御し、キャリッジ駆動部２２により主走査方向Ｄ１を制御して、記録媒体Ｐの所定の位置にキャリッジ１１に搭載された液体噴射ヘッド１２を移動させる。さらに、制御部３０の指示により記録媒体Ｐの所定の位置に移動した液体噴射ヘッド１２からインクを噴射することにより記録媒体Ｐに印刷を行い、この印刷動作を連続して行うことにより、記録媒体Ｐに写真などの印刷を行うことができる。また、キャリッジ１１には、インクの色ごとに指定されたカートリッジ１０１の取付け部が構成されており、適合するインク色が収容されたカートリッジ１０１を指定の取付け部に取り付けられている。つまり、色違いのインクが収容されたカートリッジ１０１を、キャリッジ１１の所望の取付け位置に取り付け、液体噴射ヘッド１２を介して記録媒体Ｐの所定の位置に噴射することにより記録媒体Ｐにカラー印刷を行うことができる。
【００１６】
［記録部の構成］
次に、記録部１０の構成について図１Ｂを用いて説明する。記録部１０は、記録媒体Ｐ側から＋Ｚ方向に沿って液体噴射ヘッド１２、キャリッジ１１、カートリッジ１０１の順に配置されている。カートリッジ１０１は、キャリッジ１１の＋Ｚ方向に開口した開口部から所望の位置に取り付けられて図示しないフックなどによりキャリッジ１１に取り付け可能に保持されている。カートリッジ１０１には、カートリッジ１０１の内部に収容されたインクを排出する排出口１０１ｅが設けられている。排出口１０１ｅと組み合わさるように、キャリッジ１１には排出口受け部１１ａが配置されている。そして、カートリッジ１０１がキャリッジ１１に取り付けられると、排出口１０１ｅと排出口受け部１１ａとが組み合わさりカートリッジ１０１内のインクが液体噴射ヘッド１２へ供給される。
【００１７】
また、キャリッジ１１には、インクの色ごとに取り付ける位置が指定されており、合致するインクを収容したカートリッジ１０１を指定された位置に取り付けることにより写真などのカラー印刷を行うことができる。
【００１８】
このように、キャリッジ１１とカートリッジ１０１とを構成することにより、インクが液体噴射ヘッド１２を介して記録媒体Ｐに噴射されて印刷することができる。印刷動作によりインクが消費されて、制御部３０に記録されているカートリッジ１０１内のインク残量が一定量を下回ると、プリンター１に備えた表示部によりカートリッジ１０１の交換を促される。カラー印刷を行った際には、カラー印刷の印刷色によりインクの消費量が色ごとに異なるため、色ごとの消費量の大小により交換を要するカートリッジ１０１が変わってくる。
【００１９】
そのため、使用者は、プリンター１の図示しない表示部に表示された交換を要する色を把握し、該当する色のカートリッジへ交換を行う必要が生じる。カートリッジ１０１を交換する際には、まず、表示部に表示された要交換カートリッジ１０１のインク色を把握し、適合するインク色が収容されたカートリッジ１０１を用意する。次に、カートリッジ１０１のインクの排出口１０１ｅに装着された図示しないキャップを取り外し、キャリッジ１１の色ごとに指定された取付け位置に、カートリッジ１０１の取付け方向に注意しながら取り付ける。このように、インクの色を間違えることなく選択したカートリッジ１０１を、キャリッジ１１に設けられたインクの色ごとに指定されたカートリッジの取付け部に取り付ける必要がある。
【００２０】
仮に、キャリッジ１１の色ごとに指定された取付け位置に、指定された色と異なるインク色を収容したカートリッジ１０１を間違えて取付けた場合、液体噴射ヘッド１２から噴射されるインクの色と、制御部３０から指示された色とが合致しないため、写真などの色が変わってしまい正常にカラー印刷ができなくなる。従って、カートリッジ１０１をキャリッジ１１に取り付けるに際しては、カートリッジ１０１に収容されているインクの色を正確に判別し、且つ、キャリッジ１１の色ごとに指定されたカートリッジの取付け部に、カートリッジ１０１の装着方向を判別しながら間違えることなく取り付けを行う必要がある。
【００２１】
［カートリッジの構成］
次に、図１Ｃ〜図１Ｊを用いてカートリッジ１０１について説明する。図１Ｃは、カートリッジ１０１の外観を示す斜視図である。図１Ｄ〜図１Ｊは、カートリッジ１０１をＸ、Ｙ、Ｚの各軸方向から見た図である。図１Ｄは、−Ｘ方向から＋Ｘ方向に向かって見た正面図である。図１Ｅは、＋Ｚ方向から−Ｚ方向に向かって見た上面図である。図１Ｆは、−Ｚ方向から＋Ｚ方向に向かって見た下面図である。図１Ｇは、＋Ｙ方向から−Ｙ方向に向かって見た側面図である。図１Ｈは、−Ｙ方向から＋Ｙ方向に向かって見た側面図である。図１Ｊは、＋Ｘ方向から−Ｘ方向に向かって見た側面図である。また、図中に示した破線は、カートリッジ１０１の形状を理解しやすくするための隠れ線である。
【００２２】
カートリッジ１０１は、略直方体形状をしており、長方形に構成された＋Ｚ方向側に位置する第１の面としての＋Ｚ上面および−Ｚ方向側に位置する−Ｚ下面を備え、＋Ｚ上面と−Ｚ下面との各辺が結ばれて各側面が形成されている。各側面は、＋Ｚ上面と交差して構成された＋Ｘ方向側に位置する第３の面としての＋Ｘ側面と、＋Ｚ上面と交差して構成された−Ｘ方向側に位置する第２の面としての−Ｘ側面と、＋Ｙ方向側に位置する＋Ｙ側面と、−Ｙ方向側に位置する−Ｙ側面とで構成されている。さらに、−Ｚ下面と、−Ｙ側面との間には、斜面部が形成されて、図１Ｂに図示したキャリッジ１１にカートリッジ１０１を取り付け易くしている。カートリッジ１０１の−Ｚ下面には、−Ｚ方向に開口した排出口１０１ｅが配置されている。排出口１０１ｅは、カートリッジ１０１に収容されたインクを排出する機能を有している。
【００２３】
カートリッジ１０１は、カートリッジ１０１の−Ｘ側面に向かって−Ｙ方向に沿って突出した第１の突出部としての突出部１０１ａと、カートリッジ１０１の＋Ｘ側面に向かって−Ｙ方向に沿って突出した第２の突出部としての突出部１０１ｂとを備えている。突出部１０１ａ，１０１ｂは、−Ｚ方向に向かって構成された凹部を含んでいる。また、カートリッジ１０１は、＋Ｚ上面にカートリッジ１０１の長手方向に開口部を有する溝部１０１ｍを備えている。そして、溝部１０１ｍは、−Ｘ側面と反対側の面１０１ｃおよび＋Ｘ側面と反対側の面１０１ｃとを含んで構成されて、面１０１ｃは−Ｙ方向に沿って突出し突出部１０１ａ，１０１ｂを構成している。つまり、突出部１０１ａおよび突出部１０１ｂがＹＺ平面に対して対称の形状で構成されている。
【００２４】
突出部１０１ａには、孔１０１ｄが−Ｘ側面および面１０１ｃを貫通して設けられ、さらに、突出部１０１ｂには、孔１０１ｄが＋Ｘ側面および面１０１ｃを貫通して設けられている。また、孔１０１ｄは、円形の開口を有しており、孔１０１ｄの設置位置、および孔の直径の少なくともどちらか一方を、カートリッジ１０１に収容されたインクの色ごとに変えることにより、カートリッジ１０１に収容されたインクの色の判別を容易に行うことができる。
【００２５】
以上、説明したようにカートリッジ１０１を取り付ける際には、インクの色ごとに指定された取付け部にキャリッジ１１の排出口受け部１１ａと排出口１０１ｅとの位置とを合わせて組み込む必要がある。よって、カートリッジ１０１に突出部１０１ａ，１０１ｂを設けることにより、カートリッジ１０１の組み込み方向を使用者が容易に判別することができ、カートリッジ１０１をキャリッジ１１に装着する際の試行錯誤を繰り返すこと防ぐことができる。また、試行錯誤を繰り返す中で、誤って排出口１０１ｅに指先が触れて汚れてしまうことを防ぐことができる。
【００２６】
さらに、突出部１０１ａ，１０１ｂに孔１０１ｄを設けて、孔１０１ｄの配置位置や、円形の直径を変えることでカートリッジ１０１に収容されたインクの色を容易に判別することができる。よって、異なる色のインクが収容されたカートリッジ１０１を、キャリッジ１１に設けられた色ごとに指定されたカートリッジの取付け部に間違えることなく取り付けることができる。
【００２７】
（変形例１）
次に、第１実施形態に係る変形例１としてのカートリッジ１０１１を図１Ｋ〜図１Ｒを用いて説明する。図１Ｋは、カートリッジ１０１１の外観を示す斜視図である。図１Ｌ〜図１Ｒは、カートリッジ１０１をＸ、Ｙ，Ｚの各軸方向から見た図である。図１Ｌは、−Ｘ方向から＋Ｘ方向に向かって見た正面図である。図１Ｍは、＋Ｚ方向から−Ｚ方向に向かって見た上面図である。図１Ｎは、−Ｚ方向から＋Ｚ方向に向かって見た下面図である。図１Ｐは、＋Ｙ方向から−Ｙ方向に向かって見た側面図である。図１Ｑは、−Ｙ方向から＋Ｙ方向に向かって見た側面図である。図１Ｒは、＋Ｘ方向から−Ｘ方向に向かって見た側面図である。なお、本変形例に係るカートリッジ１０１１は、第１実施形態に係るカートリッジ１０１に対して、穴１０１ｒの形状が異なる。従って、第１実施形態に係るカートリッジ１０１と同じ構成要素には同じ付番を付し、説明は省略する。
【００２８】
カートリッジ１０１１の突出部１０１ａ，１０１ｂには、凹部、穴１０１ｒが設けられている。穴１０１ｒは、円形の開口を有して、開口は対向して配置されている。
【００２９】
以上、説明したように開口部が対向する穴１０１ｒを突出部１０１ａ，１０１ｂに設けることにより、穴１０１ｒの開口部が外側から見えにくくなるため、カートリッジ１０１１をすっきりと見せることができる。
【００３０】
（変形例２）
次に、第１実施形態に係る変形例１としてのカートリッジ１０１２を図１Ｓ〜図１Ｙを用いて説明する。図１Ｓは、カートリッジ１０１２の外観を示す斜視図である。図１Ｔ〜図１Ｙは、カートリッジ１０１２をＸ、Ｙ，Ｚの各軸方向から見た図である。図１Ｔは、−Ｘ方向から＋Ｘ方向に向かって見た正面図である。図１Ｕは、＋Ｚ方向から−Ｚ方向に向かって見た上面図である。図１Ｖは、−Ｚ方向から＋Ｚ方向に向かって見た下面図である。図１Ｗは、＋Ｙ方向から−Ｙ方向に向かって見た側面図である。図１Ｘは、−Ｙ方向から＋Ｙ方向に向かって見た側面図である。図１Ｙは、＋Ｘ方向から−Ｘ方向に向かって見た側面図である。なお、本変形例に係るカートリッジ１０１２は、第１実施形態に係るカートリッジ１０１に対して、連結棒１０１ｋを付加したことが異なる。従って、第１実施形態に係るカートリッジ１０１と同じ構成要素には同じ付番を付し、説明は省略する。
【００３１】
カートリッジ１０１２の突出部１０１ａ，１０１ｂには、凹部、孔１０１ｄが設けられている。孔１０１ｄは、円形の開口を有しており、孔１０１ｄに連結棒１０１ｋが取り付けられている。連結棒１０１ｋは、軸方向に交差する方向の断面形状が円形で構成されており、連結棒１０１ｋの両端部には、孔１０１ｄに対応する円筒の形状で構成された軸が設けられている。
【００３２】
以上、説明したように突出部１０１ａ，１０１ｂに連結棒１０１ｋが取り付けられることにより、連結棒１０１ｋの色と、カートリッジ１０１２に収容されたインクの色とを同色にして構成することができる。よって、カートリッジ１０１２に収容されたインクの色を容易に判別できるため、カートリッジ１０１２をキャリッジ１１の色ごとに指定されたカートリッジの取付け部にインクの色を間違えることなく取り付けることができる。
【００３３】
ここで、第１実施形態では、図１Ｃ〜図１Ｊに示すように突出部１０１ａ，１０１ｂを設け、突出部１０１ａ，１０１ｂに孔１０１ｄを設けた構成としたが、この形態に限定されない、突出部、孔の形態を適用することができる。そこで、突出部形状、孔位置および孔形状の種々の形態を適用した実施形態について以下に説明する。なお、各実施形態におけるプリンター１の記録部１０、駆動部２０、制御部３０の構成は、第１実施形態と同様のため説明を省略する。
【００３４】
（第２実施形態）
第２実施形態に係るカートリッジ１０２を、図２Ａ〜図２Ｇを用いて説明する。図２Ａは、カートリッジ１０２の外観を示す斜視図である。図２Ｂ〜図２Ｇは、カートリッジ１０２をＸ、Ｙ、Ｚの各軸方向から見た図である。図２Ｂは、−Ｘ方向から＋Ｘ方向に向かって見た正面図である。図２Ｃは、＋Ｚ方向から−Ｚ方向に向かって見た上面図である。図２Ｄは、−Ｚ方向から＋Ｚ方向に向かって見た下面図である。図２Ｅは、＋Ｙ方向から−Ｙ方向に向かって見た側面図である。図２Ｆは、−Ｙ方向から＋Ｙ方向に向かって見た側面図である。図２Ｇは、＋Ｘ方向から−Ｘ方向に向かって見た側面図である。なお、本実施形態は、第１実施形態に対して、孔１０２ｆを付加した構成が異なる。そのため、第１実施形態に係る同じ構成要素には同じ付番を付し説明は省略する。
【００３５】
カートリッジ１０２の突出部１０１ａ，１０１ｂには、孔１０２ｆ，凹部，孔１０１ｄが設けられている。孔１０１ｄと孔１０２ｆとは、円形の開口を有している。
【００３６】
（第３実施形態）
第３実施形態に係るカートリッジ１０３を、図３Ａ〜図３Ｇを用いて説明する。図３Ａは、カートリッジ１０３の外観を示す斜視図である。図３Ｂ〜図３Ｇは、カートリッジ１０３をＸ，Ｙ，Ｚの各軸方向から見た図である。図３Ｂは、−Ｘ方向から＋Ｘ方向に向かって見た正面図である。図３Ｃは、＋Ｚ方向から−Ｚ方向に向かって見た上面図である。図３Ｄは、−Ｚ方向から＋Ｚ方向に向かって見た下面図である。図３Ｅは、＋Ｙ方向から−Ｙ方向に向かって見た側面図である。図３Ｆは、−Ｙ方向から＋Ｙ方向に向かって見た側面図である。図３Ｇは、＋Ｘ方向から−Ｘ方向に向かって見た側面図である。なお、本実施形態は、第１実施形態に対して、孔形状が長円形の孔１０３ｇを付加した構成が異なる。そのため、第１実施形態に係る同じ構成要素には同じ付番を付し説明は省略する。
【００３７】
カートリッジ１０３の突出部１０１ａ，１０１ｂには、孔１０３ｇ，凹部，孔１０１ｄが設けられている。孔１０３ｇは、長円形の開口を有している。
【００３８】
（第４実施形態）
第４実施形態に係るカートリッジ１０４を、図４Ａ〜図４Ｇを用いて説明する。図４Ａは、カートリッジ１０４の外観を示す斜視図である。図４Ｂ〜図４Ｇは、カートリッジ１０４をＸ、Ｙ，Ｚの各軸方向から見た図である。図４Ｂは、−Ｘ方向から＋Ｘ方向に向かって見た正面図である。図４Ｃは、＋Ｚ方向から−Ｚ方向に向かって見た上面図である。図４Ｄは、−Ｚ方向から＋Ｚ方向に向かって見た下面図である。図４Ｅは、＋Ｙ方向から−Ｙ方向に向かって見た側面図である。図４Ｆは、−Ｙ方向から＋Ｙ方向に向かって見た側面図である。図４Ｇは、＋Ｘ方向から−Ｘ方向に向かって見た側面図である。なお、本実施形態は、第１実施形態に対して、突出部１０４ａ，１０４ｂの形状が異なる。そのため、第１実施形態に係る同じ構成要素には同じ付番を付し説明は省略する。
【００３９】
カートリッジ１０４の突出部１０４ａ，１０４ｂは、突出部１０４ａ，１０４ｂの一部が斜面部を含んで構成されている。そして、突出部１０４ａ，１０４ｂには、凹部、孔１０４ｄが設けられている。孔１０４ｄは、円形の開口を有している。
【００４０】
（第５実施形態）
第５実施形態に係るカートリッジ１０５を、図５Ａ〜図５Ｇを用いて説明する。図５Ａは、カートリッジ１０５の外観を示す斜視図である。図５Ｂ〜図５Ｇは、カートリッジ１０５をＸ、Ｙ、Ｚの各軸方向から見た図である。図５Ｂは、−Ｘ方向から＋Ｘ方向に向かって見た正面図である。図５Ｃは、＋Ｚ方向から−Ｚ方向に向かって見た上面図である。図５Ｄは、−Ｚ方向から＋Ｚ方向に向かって見た下面図である。図５Ｅは、＋Ｙ方向から−Ｙ方向に向かって見た側面図である。図５Ｆは、−Ｙ方向から＋Ｙ方向に向かって見た側面図である。図５Ｇは、＋Ｘ方向から−Ｘ方向に向かって見た側面図である。なお、本実施形態は、第４実施形態に対して、孔１０５ｆを設けた構成が異なる。そのため、第４実施形態に係る同じ構成要素には同じ付番を付し説明は省略する。
【００４１】
カートリッジ１０５の突出部１０４ａ，１０４ｂには、孔１０５ｆ，凹部，孔１０４ｄが設けられている。孔１０５ｆは、円形の開口を有している。
【００４２】
（第６実施形態）
第６実施形態に係るカートリッジ１０６を、図６Ａ〜図６Ｇを用いて説明する。図６Ａは、カートリッジ１０６の外観を示す斜視図である。図６Ｂ〜図６Ｇは、カートリッジ１０６をＸ、Ｙ、Ｚの各軸方向から見た図である。図６Ｂは、−Ｘ方向から＋Ｘ方向に向かって見た正面図である。図６Ｃは、＋Ｚ方向から−Ｚ方向に向かって見た上面図である。図６Ｄは、−Ｚ方向から＋Ｚ方向に向かって見た下面図である。図６Ｅは、＋Ｙ方向から−Ｙ方向に向かって見た側面図である。図６Ｆは、−Ｙ方向から＋Ｙ方向に向かって見た側面図である。図６Ｇは、＋Ｘ方向から−Ｘ方向に向かって見た側面図である。なお、本実施形態は、第４実施形態に対して、孔形状が長円形の孔１０６ｇを設けた構成が異なる。そのため、第４実施形態に係る同じ構成要素には同じ付番を付し説明は省略する。
【００４３】
カートリッジ１０６の突出部１０４ａ，１０４ｂには、孔１０６ｇ，凹部，孔１０４ｄが設けられている。孔１０６ｇは、長円形の開口を有している。
【００４４】
（変形例１）
第６実施形態に係る変形例１のカートリッジ１０６１を、図６Ｈ〜図６Ｐを用いて説明する。図６Ｈは、カートリッジ１０６１の外観を示す斜視図である。図６Ｊ〜図６Ｐは、カートリッジ１０６１をＸ、Ｙ、Ｚの各軸方向から見た図である。図６Ｊは、−Ｘ方向から＋Ｘ方向に向かって見た正面図である。図６Ｋは、＋Ｚ方向から−Ｚ方向に向かって見た上面図である。図６Ｌは、−Ｚ方向から＋Ｚ方向に向かって見た下面図である。図６Ｍは、＋Ｙ方向から−Ｙ方向に向かって見た側面図である。図６Ｎは、−Ｙ方向から＋Ｙ方向に向かって見た側面図である。図６Ｐは、＋Ｘ方向から−Ｘ方向に向かって見た側面図である。なお、本実施形態は、第６実施形態に対して、溝部１０６ｑの形状が異なる。そのため、第６実施形態に係る同じ構成要素には同じ付番を付し説明は省略する。
【００４５】
カートリッジ１０６１は、溝部１０６ｑの−Ｙ方向側の開口部に壁１０６ｓが設けられている。壁１０６ｓは、突出部１０４ａと、突出部１０４ｂとを結んで構成されている。
【００４６】
（第７実施形態）
第７実施形態に係るカートリッジ１０７を、図７Ａ〜図７Ｇを用いて説明する。図７Ａは、カートリッジ１０７の外観を示す斜視図である。図７Ｂ〜図７Ｇは、カートリッジ１０７をＸ、Ｙ、Ｚの各軸方向から見た図である。図７Ｂは、−Ｘ方向から＋Ｘ方向に向かって見た正面図である。図７Ｃは、＋Ｚ方向から−Ｚ方向に向かって見た上面図である。図７Ｄは、−Ｚ方向から＋Ｚ方向に向かって見た下面図である。図７Ｅは、＋Ｙ方向から−Ｙ方向に向かって見た側面図である。図７Ｆは、−Ｙ方向から＋Ｙ方向に向かって見た側面図である。図７Ｇは、＋Ｘ方向から−Ｘ方向に向かって見た側面図である。なお、本実施形態は、第１実施形態に対して、突出部１０７ａ，１０７ｂの形状が異なる。そのため、第１実施形態に係る同じ構成要素には同じ付番を付し説明は省略する。
【００４７】
カートリッジ１０７の突出部１０７ａ，１０７ｂは、突出部１０７ａ，１０７ｂが斜面部を含んで構成されている。そして、突出部１０７ａ，１０７ｂは、斜面部，孔１０７ｄが設けられている。孔１０７ｄは、円形の開口を有している。
【００４８】
（変形例１）
第７実施形態に係る変形例１のカートリッジ１０７１を、図７Ｈ〜図７Ｐを用いて説明する。図７Ｈは、カートリッジ１０７１の外観を示す斜視図である。図７Ｊ〜図７Ｐは、カートリッジ１０７１をＸ、Ｙ、Ｚの各軸方向から見た図である。図７Ｊは、−Ｘ方向から＋Ｘ方向に向かって見た正面図である。図７Ｋは、＋Ｚ方向から−Ｚ方向に向かって見た上面図である。図７Ｌは、−Ｚ方向から＋Ｚ方向に向かって見た下面図である。図７Ｍは、＋Ｙ方向から−Ｙ方向に向かって見た側面図である。図７Ｎは、−Ｙ方向から＋Ｙ方向に向かって見た側面図である。図７Ｐは、＋Ｘ方向から−Ｘ方向に向かって見た側面図である。なお、本実施形態は、第７実施形態に対して、孔１０７ｄを削除したことが異なる。そのため、第７実施形態に係る同じ構成要素には同じ付番を付し説明は省略する。
【００４９】
カートリッジ１０７１は、第７実施形態から孔１０７ｄを削除して構成している。
【００５０】
（第８実施形態）
第８実施形態に係るカートリッジ１０８を、図８Ａ〜図８Ｇを用いて説明する。図８Ａは、カートリッジ１０８の外観を示す斜視図である。図８Ｂ〜図８Ｇは、カートリッジ１０８をＸ、Ｙ、Ｚの各軸方向から見た図である。図８Ｂは、−Ｘ方向から＋Ｘ方向に向かって見た正面図である。図８Ｃは、＋Ｚ方向から−Ｚ方向に向かって見た上面図である。図８Ｄは、−Ｚ方向から＋Ｚ方向に向かって見た下面図である。図８Ｅは、＋Ｙ方向から−Ｙ方向に向かって見た側面図である。図８Ｆは、−Ｙ方向から＋Ｙ方向に向かって見た側面図である。図８Ｇは、＋Ｘ方向から−Ｘ方向に向かって見た側面図である。なお、本実施形態は、第７実施形態に対して、孔１０８ｆを設けた構成が異なる。そのため、第７実施形態に係る同じ構成要素には同じ付番を付し説明は省略する。
【００５１】
カートリッジ１０８の突出部１０７ａ，１０７ｂには、孔１０８ｆ、斜面部、孔１０７ｄが設けられている。孔１０８ｆは、円形の開口を有している。
【００５２】
（変形例１）
第８実施形態に係る変形例１のカートリッジ１０８１を、図８Ｈ〜図８Ｐを用いて説明する。図８Ｈは、カートリッジ１０８１の外観を示す斜視図である。図８Ｊ〜図８Ｐは、カートリッジ１０８１をＸ、Ｙ、Ｚの各軸方向から見た図である。図８Ｊは、−Ｘ方向から＋Ｘ方向に向かって見た正面図である。図８Ｋは、＋Ｚ方向から−Ｚ方向に向かって見た上面図である。図８Ｌは、−Ｚ方向から＋Ｚ方向に向かって見た下面図である。図８Ｍは、＋Ｙ方向から−Ｙ方向に向かって見た側面図である。図８Ｎは、−Ｙ方向から＋Ｙ方向に向かって見た側面図である。図８Ｐは、＋Ｘ方向から−Ｘ方向に向かって見た側面図である。なお、本実施形態は、第８実施形態に対して、溝部１０８ｔの形状が異なる。そのため、第８実施形態に係る同じ構成要素には同じ付番を付し説明は省略する。
【００５３】
カートリッジ１０８１の突出部１０７ａ，１０７ｂには、孔１０８ｆ、斜面部、孔１０７ｄが設けられている。孔１０８ｆは、円形の開口を有している。また、突出部１０７ａと突出部１０７ｂとの間に設けられた溝部１０８ｔには、溝部１０８ｔの−Ｙ方向側の縁に沿って帯状突起部１０８ｐが設けられている。
【００５４】
（第９実施形態）
第９実施形態に係るカートリッジ１０９を、図９Ａ〜図９Ｇを用いて説明する。図９Ａは、カートリッジ１０９の外観を示す斜視図である。図９Ｂ〜図９Ｇは、カートリッジ１０９をＸ、Ｙ、Ｚの各軸方向から見た図である。図９Ｂは、−Ｘ方向から＋Ｘ方向に向かって見た正面図である。図９Ｃは、＋Ｚ方向から−Ｚ方向に向かって見た上面図である。図９Ｄは、−Ｚ方向から＋Ｚ方向に向かって見た下面図である。図９Ｅは、＋Ｙ方向から−Ｙ方向に向かって見た側面図である。図９Ｆは、−Ｙ方向から＋Ｙ方向に向かって見た側面図である。図９Ｇは、＋Ｘ方向から−Ｘ方向に向かって見た側面図である。なお、本実施形態は、第７実施形態に対して、孔形状が長円形の孔１０９ｇを設けた構成が異なる。そのため、第７実施形態に係る同じ構成要素には同じ付番を付し説明は省略する。
【００５５】
カートリッジ１０９の突出部１０７ａ，１０７ｂには、孔１０９ｇ、斜面部、孔１０７ｄが設けられている。孔１０９ｇは、円形の開口を有している。
【００５６】
（第１０実施形態）
第１０実施形態に係るカートリッジ１１０を、図１０Ａ〜図１０Ｇを用いて説明する。図１０Ａは、カートリッジ１１０の外観を示す斜視図である。図１０Ｂ〜図１０Ｇは、カートリッジ１１０をＸ、Ｙ、Ｚの各軸方向から見た図である。図１０Ｂは、−Ｘ方向から＋Ｘ方向に向かって見た正面図である。図１０Ｃは、＋Ｚ方向から−Ｚ方向に向かって見た上面図である。図１０Ｄは、−Ｚ方向から＋Ｚ方向に向かって見た下面図である。図１０Ｅは、＋Ｙ方向から−Ｙ方向に向かって見た側面図である。図１０Ｆは、−Ｙ方向から＋Ｙ方向に向かって見た側面図である。図１０Ｇは、＋Ｘ方向から−Ｘ方向に向かって見た側面図である。なお、本実施形態は、第１実施形態に対して、突出部１１０ａ，１１０ｂの形状が異なる。そのため、第１実施形態に係る同じ構成要素には同じ付番を付し説明は省略する。
【００５７】
カートリッジ１１０の突出部１１０ａ，１１０ｂは、第１実施形態の突出部１０１ａ，１０１ｂと側面形状が異なり、突出部１１０ａ，１１０ｂの先端部の平面部が小さく構成されている。突出部１１０ａ，１１０ｂには、凹部、孔１１０ｄが設けられている。孔１１０ｄは、円形の開口を有している。
【００５８】
（第１１実施形態）
第１１実施形態に係るカートリッジ１１１を、図１１Ａ〜図１１Ｇを用いて説明する。図１１Ａは、カートリッジ１１１の外観を示す斜視図である。図１１Ｂ〜図１１Ｇは、カートリッジ１１１をＸ、Ｙ、Ｚの各軸方向から見た図である。図１１Ｂは、−Ｘ方向から＋Ｘ方向に向かって見た正面図である。図１１Ｃは、＋Ｚ方向から−Ｚ方向に向かって見た上面図である。図１１Ｄは、−Ｚ方向から＋Ｚ方向に向かって見た下面図である。図１１Ｅは、＋Ｙ方向から−Ｙ方向に向かって見た側面図である。図１１Ｆは、−Ｙ方向から＋Ｙ方向に向かって見た側面図である。図１１Ｇは、＋Ｘ方向から−Ｘ方向に向かって見た側面図である。なお、本実施形態は、第１０実施形態に対して、孔１１１ｆを設けた構成が異なる。そのため、第１０実施形態に係る同じ構成要素には同じ付番を付し説明は省略する。
【００５９】
カートリッジ１１１の突出部１１０ａ，１１０ｂには、孔１１１ｆ、凹部、孔１１０ｄが設けられている。孔１１１ｆは、円形の開口を有している。
【００６０】
（変形例１）
第１１実施形態に係る変形例１のカートリッジ１１１１を、図１１Ｈ〜図１１Ｐを用いて説明する。図１１Ｈは、カートリッジ１１１１の外観を示す斜視図である。図１１Ｊ〜図１１Ｐは、カートリッジ１１１１をＸ、Ｙ、Ｚの各軸方向から見た図である。図１１Ｊは、−Ｘ方向から＋Ｘ方向に向かって見た正面図である。図１１Ｋは、＋Ｚ方向から−Ｚ方向に向かって見た上面図である。図１１Ｌは、−Ｚ方向から＋Ｚ方向に向かって見た下面図である。図１１Ｍは、＋Ｙ方向から−Ｙ方向に向かって見た側面図である。図１１Ｎは、−Ｙ方向から＋Ｙ方向に向かって見た側面図である。図１１Ｐは、＋Ｘ方向から−Ｘ方向に向かって見た側面図である。なお、本実施形態は、第１１実施形態に対して、突出部１１１ａ，１１１ｂの凹部の形状が異なる。そのため、第１１実施形態に係る同じ構成要素には同じ付番を付し説明は省略する。
【００６１】
カートリッジ１１１１は、凹部の形状が、第１１実施形態と比較して小さく構成されている。また、突出部１１１ａ，１１１ｂには、孔１１１ｆ、凹部、孔１１０ｄが設けられている。
【００６２】
（第１２実施形態）
第１２実施形態に係るカートリッジ１１２を、図１２Ａ〜図１２Ｇを用いて説明する。図１２Ａは、カートリッジ１１２の外観を示す斜視図である。図１２Ｂ〜図１２Ｇは、カートリッジ１１２をＸ、Ｙ、Ｚの各軸方向から見た図である。図１２Ｂは、−Ｘ方向から＋Ｘ方向に向かって見た正面図である。図１２Ｃは、＋Ｚ方向から−Ｚ方向に向かって見た上面図である。図１２Ｄは、−Ｚ方向から＋Ｚ方向に向かって見た下面図である。図１２Ｅは、＋Ｙ方向から−Ｙ方向に向かって見た側面図である。図１２Ｆは、−Ｙ方向から＋Ｙ方向に向かって見た側面図である。図１２Ｇは、＋Ｘ方向から−Ｘ方向に向かって見た側面図である。なお、本実施形態は、第１０実施形態に対して、孔１１２ｇを付加した構成が異なる。そのため、第１０実施形態に係る同じ構成要素には同じ付番を付し説明は省略する。
【００６３】
カートリッジ１１２の突出部１１０ａ，１１０ｂには、孔１１２ｇ、凹部、孔１１０ｄが設けられている。孔１１２ｇは、長円形の開口を有している。
【００６４】
（第１３実施形態）
第１３実施形態に係るカートリッジ１１３を、図１３Ａ〜図１３Ｇを用いて説明する。図１３Ａは、カートリッジ１１３の外観を示す斜視図である。図１３Ｂ〜図１３Ｇは、カートリッジ１１３をＸ、Ｙ、Ｚの各軸方向から見た図である。図１３Ｂは、−Ｘ方向から＋Ｘ方向に向かって見た正面図である。図１３Ｃは、＋Ｚ方向から−Ｚ方向に向かって見た上面図である。図１３Ｄは、−Ｚ方向から＋Ｚ方向に向かって見た下面図である。図１３Ｅは、＋Ｙ方向から−Ｙ方向に向かって見た側面図である。図１３Ｆは、−Ｙ方向から＋Ｙ方向に向かって見た側面図である。図１３Ｇは、＋Ｘ方向から−Ｘ方向に向かって見た側面図である。なお、本実施形態は、第１実施形態に対して、突出部１１３ａ，１１３ｂの形状が異なる。そのため、第１実施形態に係る同じ構成要素には同じ付番を付し説明は省略する。
【００６５】
カートリッジ１１３の突出部１１３ａ，１１３ｂは、第１実施形態で示した突出部１１０１ａ，１０１ｂと突出部の形状が異なり、突出部１１３ａ，１１３ｂの平面部が大きく構成されている。カートリッジ１１３の突出部１１３ａ，１１３ｂには、凹部、孔１１３ｄが設けられている。孔１１３ｄは、円形の開口を有している。
【００６６】
（第１４実施形態）
第１４実施形態に係るカートリッジ１１４を、図１４Ａ〜図１４Ｇを用いて説明する。図１４Ａは、カートリッジ１１４の外観を示す斜視図である。図１４Ｂ〜図１４Ｇは、カートリッジ１１４をＸ、Ｙ、Ｚの各軸方向から見た図である。図１４Ｂは、−Ｘ方向から＋Ｘ方向に向かって見た正面図である。図１４Ｃは、＋Ｚ方向から−Ｚ方向に向かって見た上面図である。図１４Ｄは、−Ｚ方向から＋Ｚ方向に向かって見た下面図である。図１４Ｅは、＋Ｙ方向から−Ｙ方向に向かって見た側面図である。図１４Ｆは、−Ｙ方向から＋Ｙ方向に向かって見た側面図である。図１４Ｇは、＋Ｘ方向から−Ｘ方向に向かって見た側面図である。なお、本実施形態は、第１３実施形態に対して、孔１１４ｆを設けた構成が異なる。そのため、第１３実施形態に係る同じ構成要素には同じ付番を付し説明は省略する。
【００６７】
カートリッジ１１４の突出部１１３ａ，１１３ｂには、孔１１４ｆ、凹部、孔１１３ｄが設けられている。孔１１４ｆは、円形の開口を有している。
【００６８】
（変形例１）
第１４実施形態に係る変形例１のカートリッジ１１４１を、図１４Ｈ〜図１４Ｐを用いて説明する。図１４Ｈは、カートリッジ１１４１の外観を示す斜視図である。図１４Ｊ〜図１４Ｐは、カートリッジ１１４１をＸ、Ｙ、Ｚの各軸方向から見た図である。図１４Ｊは、−Ｘ方向から＋Ｘ方向に向かって見た正面図である。図１４Ｋは、＋Ｚ方向から−Ｚ方向に向かって見た上面図である。図１４Ｌは、−Ｚ方向から＋Ｚ方向に向かって見た下面図である。図１４Ｍは、＋Ｙ方向から−Ｙ方向に向かって見た側面図である。図１４Ｎは、−Ｙ方向から＋Ｙ方向に向かって見た側面図である。図１４Ｐは、＋Ｘ方向から−Ｘ方向に向かって見た側面図である。なお、本実施形態は、第１４実施形態に対して、溝部１１４ｎの形状が異なる。そのため、第１４実施形態に係る同じ構成要素には同じ付番を付し説明は省略する。
【００６９】
カートリッジ１１４１は、第１４実施形態に対して溝部１１４ｎの形状が、＋Ｙ方向に向かって拡げられて設けられている。また、突出部１１３ａ，１１３ｂには、孔１１４ｆ、凹部、孔１１３ｄが設けられている。
【００７０】
（第１５実施形態）
第１５実施形態に係るカートリッジ１１５を、図１５Ａ〜図１５Ｇを用いて説明する。図１５Ａは、カートリッジ１１５の外観を示す斜視図である。図１５Ｂ〜図１５Ｇは、カートリッジ１１５をＸ、Ｙ、Ｚの各軸方向から見た図である。図１５Ｂは、−Ｘ方向から＋Ｘ方向に向かって見た正面図である。図１５Ｃは、＋Ｚ方向から−Ｚ方向に向かって見た上面図である。図１５Ｄは、−Ｚ方向から＋Ｚ方向に向かって見た下面図である。図１５Ｅは、＋Ｙ方向から−Ｙ方向に向かって見た側面図である。図１５Ｆは、−Ｙ方向から＋Ｙ方向に向かって見た側面図である。図１５Ｇは、＋Ｘ方向から−Ｘ方向に向かって見た側面図である。なお、本実施形態は、第１３実施形態に対して、孔の開口が長円形で構成された孔１１５ｇが設けられていることが異なる。そのため、第１３実施形態に係る同じ構成要素には同じ付番を付し説明は省略する。
【００７１】
カートリッジ１１５の突出部１１３ａ，１１３ｂには、孔１１５ｇ、凹部、孔１１３ｄが設けられている。孔１１５ｇは、長円形の開口を有している。
【００７２】
（第１６実施形態）
第１６実施形態に係るカートリッジ１１６を、図１６Ａ〜図１６Ｇを用いて説明する。図１６Ａは、カートリッジ１１６の外観を示す斜視図である。図１６Ｂ〜図１６Ｇは、カートリッジ１１６をＸ、Ｙ、Ｚの各軸方向から見た図である。図１６Ｂは、−Ｘ方向から＋Ｘ方向に向かって見た正面図である。図１６Ｃは、＋Ｚ方向から−Ｚ方向に向かって見た上面図である。図１６Ｄは、−Ｚ方向から＋Ｚ方向に向かって見た下面図である。図１６Ｅは、＋Ｙ方向から−Ｙ方向に向かって見た側面図である。図１６Ｆは、−Ｙ方向から＋Ｙ方向に向かって見た側面図である。図１６Ｇは、＋Ｘ方向から−Ｘ方向に向かって見た側面図である。なお、本実施形態は、第１実施形態に対して、突出部１１６ａ，１１６ｂの形状が異なる。そのため、第１実施形態に係る同じ構成要素には同じ付番を付し説明は省略する。
【００７３】
カートリッジ１１６は、突出部１１６ａ，１１６ｂの一部が円弧形状を含んで構成されている。突出部１１６ａ，１１６ｂには、凹部、孔１１６ｄの順に設けられている。孔１１６ｄは、円形の開口を有している。
【００７４】
（第１７実施形態）
第１７実施形態に係るカートリッジ１１７を、図１７Ａ〜図１７Ｇを用いて説明する。図１７Ａは、カートリッジ１１７の外観を示す斜視図である。図１７Ｂ〜図１７Ｇは、カートリッジ１１７をＸ、Ｙ、Ｚの各軸方向から見た図である。図１７Ｂは、−Ｘ方向から＋Ｘ方向に向かって見た正面図である。図１７Ｃは、＋Ｚ方向から−Ｚ方向に向かって見た上面図である。図１７Ｄは、−Ｚ方向から＋Ｚ方向に向かって見た下面図である。図１７Ｅは、＋Ｙ方向から−Ｙ方向に向かって見た側面図である。図１７Ｆは、−Ｙ方向から＋Ｙ方向に向かって見た側面図である。図１７Ｇは、＋Ｘ方向から−Ｘ方向に向かって見た側面図である。なお、本実施形態は、第１６実施形態に対して、孔１１７ｆを設けた構成が異なる。そのため、第１６実施形態に係る同じ構成要素には同じ付番を付し説明は省略する。
【００７５】
カートリッジ１１７の突出部１１６ａ，１１６ｂには、孔１１７ｆ、凹部、孔１１６ｄが設けられている。孔１１７ｆは、円形の開口を有している。
【００７６】
（第１８実施形態）
第１８実施形態に係るカートリッジ１１８を、図１８Ａ〜図１８Ｇを用いて説明する。図１８Ａは、カートリッジ１１８の外観を示す斜視図である。図１８Ｂ〜図１８Ｇは、カートリッジ１１８をＸ、Ｙ、Ｚの各軸方向から見た図である。図１８Ｂは、−Ｘ方向から＋Ｘ方向に向かって見た正面図である。図１８Ｃは、＋Ｚ方向から−Ｚ方向に向かって見た上面図である。図１８Ｄは、−Ｚ方向から＋Ｚ方向に向かって見た下面図である。図１８Ｅは、＋Ｙ方向から−Ｙ方向に向かって見た側面図である。図１８Ｆは、−Ｙ方向から＋Ｙ方向に向かって見た側面図である。図１８Ｇは、＋Ｘ方向から−Ｘ方向に向かって見た側面図である。なお、本実施形態は、第１６実施形態に対して、孔１１８ｇを設けた構成が異なる。そのため、第１６実施形態に係る同じ構成要素には同じ付番を付し説明は省略する。
【００７７】
カートリッジ１１８の突出部１１６ａ，１１６ｂには、孔１１８ｇ、凹部、孔１１６ｄが設けられている。孔１１８ｇは、長円形の開口を有している。
【００７８】
（第１９実施形態）
第１９実施形態に係るカートリッジ１１９を、図１９Ａ〜図１９Ｇを用いて説明する。図１９Ａは、カートリッジ１１９の外観を示す斜視図である。図１９Ｂ〜図１９Ｇは、カートリッジ１１９をＸ、Ｙ、Ｚの各軸方向から見た図である。図１９Ｂは、−Ｘ方向から＋Ｘ方向に向かって見た正面図である。図１９Ｃは、＋Ｚ方向から−Ｚ方向に向かって見た上面図である。図１９Ｄは、−Ｚ方向から＋Ｚ方向に向かって見た下面図である。図１９Ｅは、＋Ｙ方向から−Ｙ方向に向かって見た側面図である。図１９Ｆは、−Ｙ方向から＋Ｙ方向に向かって見た側面図である。図１９Ｇは、＋Ｘ方向から−Ｘ方向に向かって見た側面図である。なお、本実施形態は、第１６実施形態に対して、孔１１６ｄから孔１１９ｈへ変更したことが異なる。そのため、第１６実施形態に係る同じ構成要素には同じ付番を付し説明は省略する。
【００７９】
カートリッジ１１９の突出部１１６ａ，１１６ｂには、凹部、孔１１９ｈが設けられている。孔１１９ｈは、長円形の開口を有している。
【００８０】
（第２０実施形態）
第２０実施形態に係るカートリッジ１２０を、図２０Ａ〜図２０Ｇを用いて説明する。図２０Ａは、カートリッジ１２０の外観を示す斜視図である。図２０Ｂ〜図２０Ｇは、カートリッジ１２０をＸ、Ｙ、Ｚの各軸方向から見た図である。図２０Ｂは、−Ｘ方向から＋Ｘ方向に向かって見た正面図である。図２０Ｃは、＋Ｚ方向から−Ｚ方向に向かって見た上面図である。図２０Ｄは、−Ｚ方向から＋Ｚ方向に向かって見た下面図である。図２０Ｅは、＋Ｙ方向から−Ｙ方向に向かって見た側面図である。図２０Ｆは、−Ｙ方向から＋Ｙ方向に向かって見た側面図である。図２０Ｇは、＋Ｘ方向から−Ｘ方向に向かって見た側面図である。なお、本実施形態は、第１９実施形態に対して、孔１１８ｇを付加して構成したことが異なる。そのため、第１９実施形態に係る同じ構成要素には同じ付番を付し説明は省略する。
【００８１】
カートリッジ１２０の突出部１１６ａ，１１６ｂには、孔１１８ｇ、凹部、孔１１９ｈが設けられている。
【００８２】
（第２１実施形態）
第２１実施形態に係るカートリッジ１２１を、図２１Ａ〜図２１Ｇを用いて説明する。図２１Ａは、カートリッジ１２１の外観を示す斜視図である。図２１Ｂ〜図２１Ｇは、カートリッジ１２１をＸ、Ｙ、Ｚの各軸方向から見た図である。図２１Ｂは、−Ｘ方向から＋Ｘ方向に向かって見た正面図である。図２１Ｃは、＋Ｚ方向から−Ｚ方向に向かって見た上面図である。図２１Ｄは、−Ｚ方向から＋Ｚ方向に向かって見た下面図である。図２１Ｅは、＋Ｙ方向から−Ｙ方向に向かって見た側面図である。図２１Ｆは、−Ｙ方向から＋Ｙ方向に向かって見た側面図である。図２１Ｇは、＋Ｘ方向から−Ｘ方向に向かって見た側面図である。なお、本実施形態は、第１実施形態に対して、突出部１２１ａ，１２１ｂの形状が異なる。そのため、第１実施形態に係る同じ構成要素には同じ付番を付し説明は省略する。
【００８３】
カートリッジ１２１は、突出部１２１ａ，１２１ｂがカートリッジ１２１の側面に沿って設けられて、さらに、カートリッジ１２１の上面と段部を含んで構成されている。そして、突出部１２１ａ，１２１ｂには、段部、孔１２１ｄが設けられている。孔１２１ｄは、円形の開口を有している。
【００８４】
（第２２実施形態）
第２２実施形態に係るカートリッジ１２２を、図２２Ａ〜図２２Ｇを用いて説明する。図２２Ａは、カートリッジ１２２の外観を示す斜視図である。図２２Ｂ〜図２２Ｇは、カートリッジ１２２をＸ、Ｙ、Ｚの各軸方向から見た図である。図２２Ｂは、−Ｘ方向から＋Ｘ方向に向かって見た正面図である。図２２Ｃは、＋Ｚ方向から−Ｚ方向に向かって見た上面図である。図２２Ｄは、−Ｚ方向から＋Ｚ方向に向かって見た下面図である。図２２Ｅは、＋Ｙ方向から−Ｙ方向に向かって見た側面図である。図２２Ｆは、−Ｙ方向から＋Ｙ方向に向かって見た側面図である。図２２Ｇは、＋Ｘ方向から−Ｘ方向に向かって見た側面図である。なお、本実施形態は、第２１実施形態に対して、孔１２２ｆを設けた構成が異なる。そのため、第２１実施形態に係る同じ構成要素には同じ付番を付し説明は省略する。
【００８５】
カートリッジ１２２の突出部１２１ａ，１２１ｂには、段部、孔１２２ｆ、孔１２１ｄが設けられている。孔１２２ｆは、円形の開口を有している。
【００８６】
（第２３実施形態）
第２３実施形態に係るカートリッジ１２３を、図２３Ａ〜図２３Ｇを用いて説明する。図２３Ａは、カートリッジ１２３の外観を示す斜視図である。図２３Ｂ〜図２３Ｇは、カートリッジ１２３をＸ、Ｙ、Ｚの各軸方向から見た図である。図２３Ｂは、−Ｘ方向から＋Ｘ方向に向かって見た正面図である。図２３Ｃは、＋Ｚ方向から−Ｚ方向に向かって見た上面図である。図２３Ｄは、−Ｚ方向から＋Ｚ方向に向かって見た下面図である。図２３Ｅは、＋Ｙ方向から−Ｙ方向に向かって見た側面図である。図２３Ｆは、−Ｙ方向から＋Ｙ方向に向かって見た側面図である。図２３Ｇは、＋Ｘ方向から−Ｘ方向に向かって見た側面図である。なお、本実施形態は、第２１実施形態に対して、孔１２３ｇを設けた構成が異なる。そのため、第２１実施形態に係る同じ構成要素には同じ付番を付し説明は省略する。
【００８７】
カートリッジ１２３の突出部１２１ａ，１２１ｂには、段部、孔１２３ｇ、孔１２１ｄが設けられている。孔１２３ｇは、長円形の開口を有している。
【００８８】
（第２４実施形態）
第２４実施形態に係るカートリッジ１２４を、図２４Ａ〜図２４Ｇを用いて説明する。図２４Ａは、カートリッジ１２４の外観を示す斜視図である。図２４Ｂ〜図２４Ｇは、カートリッジ１２４をＸ、Ｙ、Ｚの各軸方向から見た図である。図２４Ｂは、−Ｘ方向から＋Ｘ方向に向かって見た正面図である。図２４Ｃは、＋Ｚ方向から−Ｚ方向に向かって見た上面図である。図２４Ｄは、−Ｚ方向から＋Ｚ方向に向かって見た下面図である。図２４Ｅは、＋Ｙ方向から−Ｙ方向に向かって見た側面図である。図２４Ｆは、−Ｙ方向から＋Ｙ方向に向かって見た側面図である。図２４Ｇは、＋Ｘ方向から−Ｘ方向に向かって見た側面図である。なお、本実施形態は、第２１実施形態に対して、孔１２４ｈを配置したことが異なる。そのため、第２２実施形態に係る同じ構成要素には同じ付番を付し説明は省略する。
【００８９】
カートリッジ１２４の突出部１２１ａ，１２１ｂには、段部、孔１２２ｆ、孔１２４ｈが設けられている。孔１２４ｈは、長円形の開口を有している。
【００９０】
（第２５実施形態）
第２５実施形態に係るカートリッジ１２５を、図２５Ａ〜図２５Ｇを用いて説明する。図２５Ａは、カートリッジ１２５の外観を示す斜視図である。図２５Ｂ〜図２５Ｇは、カートリッジ１２５をＸ、Ｙ、Ｚの各軸方向から見た図である。図２５Ｂは、−Ｘ方向から＋Ｘ方向に向かって見た正面図である。図２５Ｃは、＋Ｚ方向から−Ｚ方向に向かって見た上面図である。図２５Ｄは、−Ｚ方向から＋Ｚ方向に向かって見た下面図である。図２５Ｅは、＋Ｙ方向から−Ｙ方向に向かって見た側面図である。図２５Ｆは、−Ｙ方向から＋Ｙ方向に向かって見た側面図である。図２５Ｇは、＋Ｘ方向から−Ｘ方向に向かって見た側面図である。なお、本実施形態は、第２４実施形態に対して、孔１２２ｆを削除して構成したことが異なる。そのため、第２４実施形態に係る同じ構成要素には同じ付番を付し説明は省略する。
【００９１】
第２４実施形態から孔１２２ｆを削除し、突出部１２１ａ，１２１ｂには孔１２４ｈが設けられている。つまり、突出部１２１ａ，１２１ｂには、段部、孔１２４ｈが設けられている。
【００９２】
（第２６実施形態）
第２６実施形態に係るカートリッジ１２６を、図２６Ａ〜図２６Ｇを用いて説明する。図２６Ａは、カートリッジ１２６の外観を示す斜視図である。図２６Ｂ〜図２６Ｇは、カートリッジ１２６をＸ、Ｙ、Ｚの各軸方向から見た図である。図２６Ｂは、−Ｘ方向から＋Ｘ方向に向かって見た正面図である。図２６Ｃは、＋Ｚ方向から−Ｚ方向に向かって見た上面図である。図２６Ｄは、−Ｚ方向から＋Ｚ方向に向かって見た下面図である。図２６Ｅは、＋Ｙ方向から−Ｙ方向に向かって見た側面図である。図２６Ｆは、−Ｙ方向から＋Ｙ方向に向かって見た側面図である。図２６Ｇは、＋Ｘ方向から−Ｘ方向に向かって見た側面図である。なお、本実施形態は、第２５実施形態に対して、孔１２３ｇを付加して構成したことが異なる。そのため、第２５実施形態に係る同じ構成要素には同じ付番を付し説明は省略する。
【００９３】
カートリッジ１２６の突出部１２１ａ，１２１ｂには、段部、孔１２３ｇ、孔１２４ｈが設けられている。
【００９４】
（第２７実施形態）
第２７実施形態に係るカートリッジ１２７を、図２７Ａ〜図２７Ｇを用いて説明する。図２７Ａは、カートリッジ１２７の外観を示す斜視図である。図２７Ｂ〜図２７Ｇは、カートリッジ１２７をＸ、Ｙ、Ｚの各軸方向から見た図である。図２７Ｂは、−Ｘ方向から＋Ｘ方向に向かって見た正面図である。図２７Ｃは、＋Ｚ方向から−Ｚ方向に向かって見た上面図である。図２７Ｄは、−Ｚ方向から＋Ｚ方向に向かって見た下面図である。図２７Ｅは、＋Ｙ方向から−Ｙ方向に向かって見た側面図である。図２７Ｆは、−Ｙ方向から＋Ｙ方向に向かって見た側面図である。図２７Ｇは、＋Ｘ方向から−Ｘ方向に向かって見た側面図である。なお、本実施形態は、第２１実施形態に対して、孔１２７ｊの形状が異なる。そのため、第２１実施形態に係る同じ構成要素には同じ付番を付し説明は省略する。
【００９５】
カートリッジ１２７の突出部１２１ａ，１２１ｂには、段部、孔１２７ｊが設けられている。孔１２７ｊは、長円形の開口を有している。
【００９６】
（第２８実施形態）
第２８実施形態に係るカートリッジ１２８を、図２８Ａ〜図２８Ｇを用いて説明する。図２８Ａは、カートリッジ１２８の外観を示す斜視図である。図２８Ｂ〜図２８Ｇは、カートリッジ１２８をＸ、Ｙ、Ｚの各軸方向から見た図である。図２８Ｂは、−Ｘ方向から＋Ｘ方向に向かって見た正面図である。図２８Ｃは、＋Ｚ方向から−Ｚ方向に向かって見た上面図である。図２８Ｄは、−Ｚ方向から＋Ｚ方向に向かって見た下面図である。図２８Ｅは、＋Ｙ方向から−Ｙ方向に向かって見た側面図である。図２８Ｆは、−Ｙ方向から＋Ｙ方向に向かって見た側面図である。図２８Ｇは、＋Ｘ方向から−Ｘ方向に向かって見た側面図である。なお、本実施形態は、第１実施形態に対して、突出部１２８ａ，１２８ｂの形状が異なる。そのため、第１実施形態に係る同じ構成要素には同じ付番を付し説明は省略する。
【００９７】
カートリッジ１２８の突出部１２８ａ，１２８ｂは、突出部１２８ａ，１２８ｂの形状が矩形で構成されて、カートリッジ１２８の側面から突出している。さらに、突出部１２８ａ，１２８ｂは、カートリッジ１２１の上面と段部を含んで構成されて、孔１２８ｄが設けられている。つまり、突出部１２８ａ，１２８ｂには、段部、孔１２８ｄが設けられている。孔１２８ｄは、円形の開口を有している。
【００９８】
（第２９実施形態）
第２９実施形態に係るカートリッジ１２９を、図２９Ａ〜図２９Ｇを用いて説明する。図２９Ａは、カートリッジ１２９の外観を示す斜視図である。図２９Ｂ〜図２９Ｇは、カートリッジ１２９をＸ、Ｙ、Ｚの各軸方向から見た図である。図２９Ｂは、−Ｘ方向から＋Ｘ方向に向かって見た正面図である。図２９Ｃは、＋Ｚ方向から−Ｚ方向に向かって見た上面図である。図２９Ｄは、−Ｚ方向から＋Ｚ方向に向かって見た下面図である。図２９Ｅは、＋Ｙ方向から−Ｙ方向に向かって見た側面図である。図２９Ｆは、−Ｙ方向から＋Ｙ方向に向かって見た側面図である。図２９Ｇは、＋Ｘ方向から−Ｘ方向に向かって見た側面図である。なお、本実施形態は、第２８実施形態に対して、孔１２９ｆを付加した構成が異なる。そのため、第２８実施形態に係る同じ構成要素には同じ付番を付し説明は省略する。
【００９９】
カートリッジ１２９の突出部１２８ａ，１２８ｂには、段部、孔１２９ｆ、孔１２８ｄが設けられている。孔１２９ｆは、円形の開口を有している。
【０１００】
（第３０実施形態）
第３０実施形態に係るカートリッジ１３０を、図３０Ａ〜図３０Ｇを用いて説明する。図３０Ａは、カートリッジ１３０の外観を示す斜視図である。図３０Ｂ〜図３０Ｇは、カートリッジ１３０をＸ、Ｙ、Ｚの各軸方向から見た図である。図３０Ｂは、−Ｘ方向から＋Ｘ方向に向かって見た正面図である。図３０Ｃは、＋Ｚ方向から−Ｚ方向に向かって見た上面図である。図３０Ｄは、−Ｚ方向から＋Ｚ方向に向かって見た下面図である。図３０Ｅは、＋Ｙ方向から−Ｙ方向に向かって見た側面図である。図３０Ｆは、−Ｙ方向から＋Ｙ方向に向かって見た側面図である。図３０Ｇは、＋Ｘ方向から−Ｘ方向に向かって見た側面図である。なお、本実施形態は、第２８実施形態に対して、孔形状が長円形の孔１３０ｇを設けた構成が異なる。そのため、第２８実施形態に係る同じ構成要素には同じ付番を付し説明は省略する。
【０１０１】
カートリッジ１３０の突出部１２８ａ，１２８ｂには、段部、孔１３０ｇ、孔１２８ｄが設けられている。孔１３０ｇは、長円形の開口を有している。
【０１０２】
（第３１実施形態）
第３１実施形態に係るカートリッジ１３１を、図３１Ａ〜図３１Ｇを用いて説明する。図３１Ａは、カートリッジ１３１の外観を示す斜視図である。図３１Ｂ〜図３１Ｇは、カートリッジ１３１をＸ、Ｙ、Ｚの各軸方向から見た図である。図３１Ｂは、−Ｘ方向から＋Ｘ方向に向かって見た正面図である。図３１Ｃは、＋Ｚ方向から−Ｚ方向に向かって見た上面図である。図３１Ｄは、−Ｚ方向から＋Ｚ方向に向かって見た下面図である。図３１Ｅは、＋Ｙ方向から−Ｙ方向に向かって見た側面図である。図３１Ｆは、−Ｙ方向から＋Ｙ方向に向かって見た側面図である。図３１Ｇは、＋Ｘ方向から−Ｘ方向に向かって見た側面図である。なお、本実施形態は、第２９実施形態に対して、孔１３１ｈの孔形状を長円形で構成したことが異なる。そのため、第２９実施形態に係る同じ構成要素には同じ付番を付し説明は省略する。
【０１０３】
カートリッジ１３１の突出部１２８ａ，１２８ｂには、段部、孔１２９ｆ、孔１３１ｈが設けられている。孔１３１ｈは、長円形の開口を有している。
【０１０４】
（第３２実施形態）
第３２実施形態に係るカートリッジ１３２を、図３２Ａ〜図３２Ｇを用いて説明する。図３２Ａは、カートリッジ１３２の外観を示す斜視図である。図３２Ｂ〜図３２Ｇは、カートリッジ１３２をＸ、Ｙ、Ｚの各軸方向から見た図である。図３２Ｂは、−Ｘ方向から＋Ｘ方向に向かって見た正面図である。図３２Ｃは、＋Ｚ方向から−Ｚ方向に向かって見た上面図である。図３２Ｄは、−Ｚ方向から＋Ｚ方向に向かって見た下面図である。図３２Ｅは、＋Ｙ方向から−Ｙ方向に向かって見た側面図である。図３２Ｆは、−Ｙ方向から＋Ｙ方向に向かって見た側面図である。図３２Ｇは、＋Ｘ方向から−Ｘ方向に向かって見た側面図である。なお、本実施形態は、第３１実施形態に対して、孔１２９ｆを削除して構成したことが異なる。そのため、第３１実施形態に係る同じ構成要素には同じ付番を付し説明は省略する。
【０１０５】
カートリッジ１３２は、第３１実施形態から孔１２９ｆを削除し、突出部１２８ａ，１２８ｂに孔１３１ｈを設けている。つまり、カートリッジ１３２の突出部１２８ａ，１２８ｂには、段部、孔１３１ｈが設けられている。
【０１０６】
（第３３実施形態）
第３３実施形態に係るカートリッジ１３３を、図３３Ａ〜図３３Ｇを用いて説明する。図３３Ａは、カートリッジ１３３の外観を示す斜視図である。図３３Ｂ〜図３３Ｇは、カートリッジ１３３をＸ、Ｙ、Ｚの各軸方向から見た図である。図３３Ｂは、−Ｘ方向から＋Ｘ方向に向かって見た正面図である。図３３Ｃは、＋Ｚ方向から−Ｚ方向に向かって見た上面図である。図３３Ｄは、−Ｚ方向から＋Ｚ方向に向かって見た下面図である。図３３Ｅは、＋Ｙ方向から−Ｙ方向に向かって見た側面図である。図３３Ｆは、−Ｙ方向から＋Ｙ方向に向かって見た側面図である。図３３Ｇは、＋Ｘ方向から−Ｘ方向に向かって見た側面図である。なお、本実施形態は、第３２実施形態に対して、孔１３０ｇを付加して構成したことが異なる。そのため、第３２実施形態に係る同じ構成要素には同じ付番を付し説明は省略する。
【０１０７】
カートリッジ１３３の突出部１２８ａ，１２８ｂには、段部、孔１３０ｇ、孔１３１ｈが設けられている。
【０１０８】
（変形例１）
第３３実施形態に係る変形例１のカートリッジ１３３１を、図３３Ｈ〜図３３Ｐを用いて説明する。図３３Ｈは、カートリッジ１３３１の外観を示す斜視図である。図３３Ｊ〜図３３Ｐは、カートリッジ１３３１をＸ、Ｙ、Ｚの各軸方向から見た図である。図３３Ｊは、−Ｘ方向から＋Ｘ方向に向かって見た正面図である。図３３Ｋは、＋Ｚ方向から−Ｚ方向に向かって見た上面図である。図３３Ｌは、−Ｚ方向から＋Ｚ方向に向かって見た下面図である。図３３Ｍは、＋Ｙ方向から−Ｙ方向に向かって見た側面図である。図３３Ｎは、−Ｙ方向から＋Ｙ方向に向かって見た側面図である。図３３Ｐは、＋Ｘ方向から−Ｘ方向に向かって見た側面図である。なお、本実施形態は、第３３実施形態に対して、突出部１３３ａ，１３３ｂの配置が異なる。そのため、第３３実施形態に係る同じ構成要素には同じ付番を付し説明は省略する。
【０１０９】
カートリッジ１３３１は、第３３実施形態に対して、突出部１３３ａ，１３３ｂが−Ｚ方向側に設けられている。突出部１３３ａ，１３３ｂは、段部、孔１３０ｇ、孔１３１ｈが設けられている。
【０１１０】
（第３４実施形態）
第３４実施形態に係るカートリッジ１３４を、図３４Ａ〜図３４Ｇを用いて説明する。図３４Ａは、カートリッジ１３４の外観を示す斜視図である。図３４Ｂ〜図３４Ｇは、カートリッジ１３４をＸ、Ｙ、Ｚの各軸方向から見た図である。図３４Ｂは、−Ｘ方向から＋Ｘ方向に向かって見た正面図である。図３４Ｃは、＋Ｚ方向から−Ｚ方向に向かって見た上面図である。図３４Ｄは、−Ｚ方向から＋Ｚ方向に向かって見た下面図である。図３４Ｅは、＋Ｙ方向から−Ｙ方向に向かって見た側面図である。図３４Ｆは、−Ｙ方向から＋Ｙ方向に向かって見た側面図である。図３４Ｇは、＋Ｘ方向から−Ｘ方向に向かって見た側面図である。なお、本実施形態は、第１実施形態に対して、突出部１３４ａ，１３４ｂの形状が異なる。そのため、第１実施形態に係る同じ構成要素には同じ付番を付し説明は省略する。
【０１１１】
カートリッジ１３４は、突出部１３４ａ，１３４ｂの一部が斜面を含んで構成されて、カートリッジ１３４の側面から突出している。さらに、突出部１３４ａ，１３４ｂは、カートリッジ１３４の上面と段部を含んで構成されて、孔１３４ｄが設けられている。孔１３４ｄは、円形の開口を有している。つまり、突出部１３４ａ，１３４ｂには、段部、孔１３４ｄが設けられている。
【０１１２】
（第３５実施形態）
第３５実施形態に係るカートリッジ１３５を、図３５Ａ〜図３５Ｇを用いて説明する。図３５Ａは、カートリッジ１３５の外観を示す斜視図である。図３５Ｂ〜図３５Ｇは、カートリッジ１３５をＸ、Ｙ、Ｚの各軸方向から見た図である。図３５Ｂは、−Ｘ方向から＋Ｘ方向に向かって見た正面図である。図３５Ｃは、＋Ｚ方向から−Ｚ方向に向かって見た上面図である。図３５Ｄは、−Ｚ方向から＋Ｚ方向に向かって見た下面図である。図３５Ｅは、＋Ｙ方向から−Ｙ方向に向かって見た側面図である。図３５Ｆは、−Ｙ方向から＋Ｙ方向に向かって見た側面図である。図３５Ｇは、＋Ｘ方向から−Ｘ方向に向かって見た側面図である。なお、本実施形態は、第３４実施形態に対して、孔１３５ｆを付加した構成が異なる。そのため、第３４実施形態に係る同じ構成要素には同じ付番を付し説明は省略する。
【０１１３】
カートリッジ１３５の突出部１３４ａ，１３４ｂには、段部、孔１３５ｆ、孔１３４ｄが設けられている。孔１３５ｆは、円形の開口を有している。
【０１１４】
（第３６実施形態）
第３６実施形態に係るカートリッジ１３６を、図３６Ａ〜図３６Ｇを用いて説明する。図３６Ａは、カートリッジ１３６の外観を示す斜視図である。図３６Ｂ〜図３６Ｇは、カートリッジ１３６をＸ、Ｙ、Ｚの各軸方向から見た図である。図３６Ｂは、−Ｘ方向から＋Ｘ方向に向かって見た正面図である。図３６Ｃは、＋Ｚ方向から−Ｚ方向に向かって見た上面図である。図３６Ｄは、−Ｚ方向から＋Ｚ方向に向かって見た下面図である。図３６Ｅは、＋Ｙ方向から−Ｙ方向に向かって見た側面図である。図３６Ｆは、−Ｙ方向から＋Ｙ方向に向かって見た側面図である。図３６Ｇは、＋Ｘ方向から−Ｘ方向に向かって見た側面図である。なお、本実施形態は、第３５実施形態に対して、孔１３６ｇの開口を長円形で構成したことが異なる。そのため、第３５実施形態に係る同じ構成要素には同じ付番を付し説明は省略する。
【０１１５】
カートリッジ１３６の突出部１３４ａ，１３４ｂには、段部、孔１３６ｇ、孔１３４ｄが設けられている。孔１３６ｇは、長円形の開口を有している。
【０１１６】
（第３７実施形態）
第３７実施形態に係るカートリッジ１３７を、図３７Ａ〜図３７Ｇを用いて説明する。図３７Ａは、カートリッジ１３７の外観を示す斜視図である。図３７Ｂ〜図３７Ｇは、カートリッジ１３７をＸ、Ｙ、Ｚの各軸方向から見た図である。図３７Ｂは、−Ｘ方向から＋Ｘ方向に向かって見た正面図である。図３７Ｃは、＋Ｚ方向から−Ｚ方向に向かって見た上面図である。図３７Ｄは、−Ｚ方向から＋Ｚ方向に向かって見た下面図である。図３７Ｅは、＋Ｙ方向から−Ｙ方向に向かって見た側面図である。図３７Ｆは、−Ｙ方向から＋Ｙ方向に向かって見た側面図である。図３７Ｇは、＋Ｘ方向から−Ｘ方向に向かって見た側面図である。なお、本実施形態は、第３５実施形態に対して、孔１３７ｈの開口を長円形で構成したことが異なる。そのため、第３５実施形態に係る同じ構成要素には同じ付番を付し説明は省略する。
【０１１７】
カートリッジ１３７の突出部１３４ａ，１３４ｂには、段部、孔１３５ｆ、孔１３７ｈが設けられている。孔１３７ｈは、長円形の開口を有している。
【０１１８】
（第３８実施形態）
第３８実施形態に係るカートリッジ１３８を、図３８Ａ〜図３８Ｇを用いて説明する。図３８Ａは、カートリッジ１３８の外観を示す斜視図である。図３８Ｂ〜図３８Ｇは、カートリッジ１３８をＸ、Ｙ、Ｚの各軸方向から見た図である。図３８Ｂは、−Ｘ方向から＋Ｘ方向に向かって見た正面図である。図３８Ｃは、＋Ｚ方向から−Ｚ方向に向かって見た上面図である。図３８Ｄは、−Ｚ方向から＋Ｚ方向に向かって見た下面図である。図３８Ｅは、＋Ｙ方向から−Ｙ方向に向かって見た側面図である。図３８Ｆは、−Ｙ方向から＋Ｙ方向に向かって見た側面図である。図３８Ｇは、＋Ｘ方向から−Ｘ方向に向かって見た側面図である。なお、本実施形態は、第３７実施形態に対して、孔１３５ｆを削除して構成したことが異なる。そのため、第３７実施形態に係る同じ構成要素には同じ付番を付し説明は省略する。
【０１１９】
カートリッジ１３８は、第３７実施形態から孔１３５ｆを削除し、突出部１３４ａ，１３４ｂに孔１３７ｈを設けた。つまり、カートリッジ１３８の突出部１３４ａ，１３４ｂには、段部、孔１３７ｈが設けられている。
【０１２０】
（第３９実施形態）
第３９実施形態に係るカートリッジ１３９を、図３９Ａ〜図３９Ｇを用いて説明する。図３９Ａは、カートリッジ１３９の外観を示す斜視図である。図３９Ｂ〜図３９Ｇは、カートリッジ１３９をＸ、Ｙ、Ｚの各軸方向から見た図である。図３９Ｂは、−Ｘ方向から＋Ｘ方向に向かって見た正面図である。図３９Ｃは、＋Ｚ方向から−Ｚ方向に向かって見た上面図である。図３９Ｄは、−Ｚ方向から＋Ｚ方向に向かって見た下面図である。図３９Ｅは、＋Ｙ方向から−Ｙ方向に向かって見た側面図である。図３９Ｆは、−Ｙ方向から＋Ｙ方向に向かって見た側面図である。図３９Ｇは、＋Ｘ方向から−Ｘ方向に向かって見た側面図である。なお、本実施形態は、第３８実施形態に対して、孔１３６ｇを付加して構成したことが異なる。そのため、第３８実施形態に係る同じ構成要素には同じ付番を付し説明は省略する。
【０１２１】
カートリッジ１３９の突出部１３４ａ，１３４ｂには、段部、孔１３６ｇ、孔１３７ｈが設けられている。
【０１２２】
（第４０実施形態）
第４０実施形態に係るカートリッジ１４０を、図４０Ａ〜図４０Ｇを用いて説明する。図４０Ａは、カートリッジ１４０の外観を示す斜視図である。図４０Ｂ〜図４０Ｇは、カートリッジ１４０をＸ、Ｙ、Ｚの各軸方向から見た図である。図４０Ｂは、−Ｘ方向から＋Ｘ方向に向かって見た正面図である。図４０Ｃは、＋Ｚ方向から−Ｚ方向に向かって見た上面図である。図４０Ｄは、−Ｚ方向から＋Ｚ方向に向かって見た下面図である。図４０Ｅは、＋Ｙ方向から−Ｙ方向に向かって見た側面図である。図４０Ｆは、−Ｙ方向から＋Ｙ方向に向かって見た側面図である。図４０Ｇは、＋Ｘ方向から−Ｘ方向に向かって見た側面図である。なお、本実施形態は、第２１実施形態に対して、突出部１４０ａ，１４０ｂの形状が異なる。そのため、第２１実施形態に係る同じ構成要素には同じ付番を付し説明は省略する。
【０１２３】
カートリッジ１４０の突出部１４０ａ，１４０ｂは、円形の形状を含んで構成されて、孔１４０ｄが設けられている。つまり、カートリッジ１４０の突出部１４０ａ，１４０ｂは、段部、孔１４０ｄが設けられている。孔１４０ｄは、円形の開口を有している。
【０１２４】
（第４１実施形態）
第４１実施形態に係るカートリッジ１４１を、図４１Ａ〜図４１Ｇを用いて説明する。図４１Ａは、カートリッジ１４１の外観を示す斜視図である。図４１Ｂ〜図４１Ｇは、カートリッジ１４１をＸ、Ｙ、Ｚの各軸方向から見た図である。図４１Ｂは、−Ｘ方向から＋Ｘ方向に向かって見た正面図である。図４１Ｃは、＋Ｚ方向から−Ｚ方向に向かって見た上面図である。図４１Ｄは、−Ｚ方向から＋Ｚ方向に向かって見た下面図である。図４１Ｅは、＋Ｙ方向から−Ｙ方向に向かって見た側面図である。図４１Ｆは、−Ｙ方向から＋Ｙ方向に向かって見た側面図である。図４１Ｇは、＋Ｘ方向から−Ｘ方向に向かって見た側面図である。なお、本実施形態は、第４０実施形態に対して、孔１４１ｆを付加した構成が異なる。そのため、第４０実施形態に係る同じ構成要素には同じ付番を付し説明は省略する。
【０１２５】
カートリッジ１４１の突出部１４０ａ，１４０ｂには、段部、孔１４１ｆ、孔１４０ｄの順に設けられている。孔１４１ｆは、円形の開口を有している。
【０１２６】
（変形例１）
第４１実施形態に係る変形例１のカートリッジ１４１１を、図４１Ｈ〜図４１Ｐを用いて説明する。図４１Ｈは、カートリッジ１４１１の外観を示す斜視図である。図４１Ｊ〜図４１Ｐは、カートリッジ１４１１をＸ、Ｙ、Ｚの各軸方向から見た図である。図４１Ｊは、−Ｘ方向から＋Ｘ方向に向かって見た正面図である。図４１Ｋは、＋Ｚ方向から−Ｚ方向に向かって見た上面図である。図４１Ｌは、−Ｚ方向から＋Ｚ方向に向かって見た下面図である。図４１Ｍは、＋Ｙ方向から−Ｙ方向に向かって見た側面図である。図４１Ｎは、−Ｙ方向から＋Ｙ方向に向かって見た側面図である。図４１Ｐは、＋Ｘ方向から−Ｘ方向に向かって見た側面図である。なお、本実施形態は、第４０実施形態に対して、溝部１４１ｍの形状が異なる。そのため、第４０実施形態に係る同じ構成要素には同じ付番を付し説明は省略する。
【０１２７】
カートリッジ１４１１は、突出部１４０ａと突出部１４０ｂとの間に設けられた溝部１４１ｍに、溝部１４１ｍの−Ｙ方向側の縁に沿って帯状突起部１４１ｐが設けられている。突出部１４０ａ，１４０ｂには、孔１４１ｆ、段部、孔１４０ｄが設けられている。
【０１２８】
（第４２実施形態）
第４２実施形態に係るカートリッジ１４２を、図４２Ａ〜図４２Ｇを用いて説明する。図４２Ａは、カートリッジ１４２の外観を示す斜視図である。図４２Ｂ〜図４２Ｇは、カートリッジ１４２をＸ、Ｙ、Ｚの各軸方向から見た図である。図４２Ｂは、−Ｘ方向から＋Ｘ方向に向かって見た正面図である。図４２Ｃは、＋Ｚ方向から−Ｚ方向に向かって見た上面図である。図４２Ｄは、−Ｚ方向から＋Ｚ方向に向かって見た下面図である。図４２Ｅは、＋Ｙ方向から−Ｙ方向に向かって見た側面図である。図４２Ｆは、−Ｙ方向から＋Ｙ方向に向かって見た側面図である。図４２Ｇは、＋Ｘ方向から−Ｘ方向に向かって見た側面図である。なお、本実施形態は、第４０実施形態に対して、孔１４２ｇを付加した構成が異なる。そのため、第４０実施形態に係る同じ構成要素には同じ付番を付し説明は省略する。
【０１２９】
カートリッジ１４２の突出部１４０ａ，１４０ｂには、段部、孔１４２ｇが設けられている。孔１４２ｇは、長円形の開口を有している。
【０１３０】
（第４３実施形態）
第４３実施形態に係るカートリッジ１４３を、図４３Ａ〜図４３Ｇを用いて説明する。図４３Ａは、カートリッジ１４３の外観を示す斜視図である。図４３Ｂ〜図４３Ｇは、カートリッジ１４３をＸ、Ｙ、Ｚの各軸方向から見た図である。図４３Ｂは、−Ｘ方向から＋Ｘ方向に向かって見た正面図である。図４３Ｃは、＋Ｚ方向から−Ｚ方向に向かって見た上面図である。図４３Ｄは、−Ｚ方向から＋Ｚ方向に向かって見た下面図である。図４３Ｅは、＋Ｙ方向から−Ｙ方向に向かって見た側面図である。図４３Ｆは、−Ｙ方向から＋Ｙ方向に向かって見た側面図である。図４３Ｇは、＋Ｘ方向から−Ｘ方向に向かって見た側面図である。なお、本実施形態は、第１実施形態に対して、突出部１４３ａ，１４３ｂの形状が異なる。そのため、第１実施形態に係る同じ構成要素には同じ付番を付し説明は省略する。
【０１３１】
カートリッジ１４３の突出部１４３ａ，１４３ｂは、円形の形状を含んで構成されており、さらに、円形と側面とが斜面部で接続されている。突出部１４３ａ，１４３ｂには、孔１４３ｄが設けられている。つまり、カートリッジ１４３の突出部１４３ａ，１４３ｂには、段部、孔１４３ｄの順に設けられている。孔１４３ｄは、円形の開口を有している。
【０１３２】
（第４４実施形態）
第４４実施形態に係るカートリッジ１４４を、図４４Ａ〜図４４Ｇを用いて説明する。図４４Ａは、カートリッジ１４４の外観を示す斜視図である。図４４Ｂ〜図４４Ｇは、カートリッジ１４４をＸ、Ｙ、Ｚの各軸方向から見た図である。図４４Ｂは、−Ｘ方向から＋Ｘ方向に向かって見た正面図である。図４４Ｃは、＋Ｚ方向から−Ｚ方向に向かって見た上面図である。図４４Ｄは、−Ｚ方向から＋Ｚ方向に向かって見た下面図である。図４４Ｅは、＋Ｙ方向から−Ｙ方向に向かって見た側面図である。図４４Ｆは、−Ｙ方向から＋Ｙ方向に向かって見た側面図である。図４４Ｇは、＋Ｘ方向から−Ｘ方向に向かって見た側面図である。なお、本実施形態は、第４３実施形態に対して、孔１４４ｆを付加した構成が異なる。そのため、第４３実施形態に係る同じ構成要素には同じ付番を付し説明は省略する。
【０１３３】
カートリッジ１４４の突出部１４３ａ，１４３ｂには、段部、孔１４４ｆ，孔１４３ｄが設けられている。孔１４４ｆは、円形の開口を有している。
【０１３４】
（第４５実施形態）
第４５実施形態に係るカートリッジ１４５を、図４５Ａ〜図４５Ｇを用いて説明する。図４５Ａは、カートリッジ１４５の外観を示す斜視図である。図４５Ｂ〜図４５Ｇは、カートリッジ１４５をＸ、Ｙ、Ｚの各軸方向から見た図である。図４５Ｂは、−Ｘ方向から＋Ｘ方向に向かって見た正面図である。図４５Ｃは、＋Ｚ方向から−Ｚ方向に向かって見た上面図である。図４５Ｄは、−Ｚ方向から＋Ｚ方向に向かって見た下面図である。図４５Ｅは、＋Ｙ方向から−Ｙ方向に向かって見た側面図である。図４５Ｆは、−Ｙ方向から＋Ｙ方向に向かって見た側面図である。図４５Ｇは、＋Ｘ方向から−Ｘ方向に向かって見た側面図である。なお、本実施形態は、第４３実施形態に対して、孔１４５ｇを付加したことが異なる。よって、第４３実施形態に係る同じ構成要素には同じ付番を付し説明は省略する。
【０１３５】
カートリッジ１４５の突出部１４５ａ，１４５ｂには、段部、孔１４５ｇ、孔１４３ｄが設けられている。孔１４５ｇは、長円形の開口を有している。
【符号の説明】
【０１３６】
１０…記録部、１１…キャリッジ、１２…液体噴射ヘッド、２０…駆動部、２１…紙送り駆動部、２２…キャリッジ駆動部、３０…制御部、１…プリンター、１０１…カートリッジ、１０１ａ…突出部、１０１ｂ…突出部、１０１ｄ…孔。
【図１Ａ】
2018161752.tif 000003
【図１Ｂ】
2018161752.tif 000004
【図１Ｃ】
2018161752.tif 000005
【図１Ｄ】
2018161752.tif 000006
【図１Ｅ】
2018161752.tif 000007
【図１Ｆ】
2018161752.tif 000008
【図１Ｇ】
2018161752.tif 000009
【図１Ｈ】
2018161752.tif 000010
【図１Ｊ】
2018161752.tif 000011
【図１Ｋ】
2018161752.tif 000012
【図１Ｌ】
2018161752.tif 000013
【図１Ｍ】
2018161752.tif 000014
【図１Ｎ】
2018161752.tif 000015
【図１Ｐ】
2018161752.tif 000016
【図１Ｑ】
2018161752.tif 000017
【図１Ｒ】
2018161752.tif 000018
【図１Ｓ】
2018161752.tif 000019
【図１Ｔ】
2018161752.tif 000020
【図１Ｕ】
2018161752.tif 000021
【図１Ｖ】
2018161752.tif 000022
【図１Ｗ】
2018161752.tif 000023
【図１Ｘ】
2018161752.tif 000024
【図１Ｙ】
2018161752.tif 000025
【図２Ａ】
2018161752.tif 000026
【図２Ｂ】
2018161752.tif 000027
【図２Ｃ】
2018161752.tif 000028
【図２Ｄ】
2018161752.tif 000029
【図２Ｅ】
2018161752.tif 000030
【図２Ｆ】
2018161752.tif 000031
【図２Ｇ】
2018161752.tif 000032
【図３Ａ】
2018161752.tif 000033
【図３Ｂ】
2018161752.tif 000034
【図３Ｃ】
2018161752.tif 000035
【図３Ｄ】
2018161752.tif 000036
【図３Ｅ】
2018161752.tif 000037
【図３Ｆ】
2018161752.tif 000038
【図３Ｇ】
2018161752.tif 000039
【図４Ａ】
2018161752.tif 000040
【図４Ｂ】
2018161752.tif 000041
【図４Ｃ】
2018161752.tif 000042
【図４Ｄ】
2018161752.tif 000043
【図４Ｅ】
2018161752.tif 000044
【図４Ｆ】
2018161752.tif 000045
【図４Ｇ】
2018161752.tif 000046
【図５Ａ】
2018161752.tif 000047
【図５Ｂ】
2018161752.tif 000048
【図５Ｃ】
2018161752.tif 000049
【図５Ｄ】
2018161752.tif 000050
【図５Ｅ】
2018161752.tif 000051
【図５Ｆ】
2018161752.tif 000052
【図５Ｇ】
2018161752.tif 000053
【図６Ａ】
2018161752.tif 000054
【図６Ｂ】
2018161752.tif 000055
【図６Ｃ】
2018161752.tif 000056
【図６Ｄ】
2018161752.tif 000057
【図６Ｅ】
2018161752.tif 000058
【図６Ｆ】
2018161752.tif 000059
【図６Ｇ】
2018161752.tif 000060
【図６Ｈ】
2018161752.tif 000061
【図６Ｊ】
2018161752.tif 000062
【図６Ｋ】
2018161752.tif 000063
【図６Ｌ】
2018161752.tif 000064
【図６Ｍ】
2018161752.tif 000065
【図６Ｎ】
2018161752.tif 000066
【図６Ｐ】
2018161752.tif 000067
【図７Ａ】
2018161752.tif 000068
【図７Ｂ】
2018161752.tif 000069
【図７Ｃ】
2018161752.tif 000070
【図７Ｄ】
2018161752.tif 000071
【図７Ｅ】
2018161752.tif 000072
【図７Ｆ】
2018161752.tif 000073
【図７Ｇ】
2018161752.tif 000074
【図７Ｈ】
2018161752.tif 000075
【図７Ｊ】
2018161752.tif 000076
【図７Ｋ】
2018161752.tif 000077
【図７Ｌ】
2018161752.tif 000078
【図７Ｍ】
2018161752.tif 000079
【図７Ｎ】
2018161752.tif 000080
【図７Ｐ】
2018161752.tif 000081
【図８Ａ】
2018161752.tif 000082
【図８Ｂ】
2018161752.tif 000083
【図８Ｃ】
2018161752.tif 000084
【図８Ｄ】
2018161752.tif 000085
【図８Ｅ】
2018161752.tif 000086
【図８Ｆ】
2018161752.tif 000087
【図８Ｇ】
2018161752.tif 000088
【図８Ｈ】
2018161752.tif 000089
【図８Ｊ】
2018161752.tif 000090
【図８Ｋ】
2018161752.tif 000091
【図８Ｌ】
2018161752.tif 000092
【図８Ｍ】
2018161752.tif 000093
【図８Ｎ】
2018161752.tif 000094
【図８Ｐ】
2018161752.tif 000095
【図９Ａ】
2018161752.tif 000096
【図９Ｂ】
2018161752.tif 000097
【図９Ｃ】
2018161752.tif 000098
【図９Ｄ】
2018161752.tif 000099
【図９Ｅ】
2018161752.tif 000100
【図９Ｆ】
2018161752.tif 000101
【図９Ｇ】
2018161752.tif 000102
【図１０Ａ】
2018161752.tif 000103
【図１０Ｂ】
2018161752.tif 000104
【図１０Ｃ】
2018161752.tif 000105
【図１０Ｄ】
2018161752.tif 000106
【図１０Ｅ】
2018161752.tif 000107
【図１０Ｆ】
2018161752.tif 000108
【図１０Ｇ】
2018161752.tif 000109
【図１１Ａ】
2018161752.tif 000110
【図１１Ｂ】
2018161752.tif 000111
【図１１Ｃ】
2018161752.tif 000112
【図１１Ｄ】
2018161752.tif 000113
【図１１Ｅ】
2018161752.tif 000114
【図１１Ｆ】
2018161752.tif 000115
【図１１Ｇ】
2018161752.tif 000116
【図１１Ｈ】
2018161752.tif 000117
【図１１Ｊ】
2018161752.tif 000118
【図１１Ｋ】
2018161752.tif 000119
【図１１Ｌ】
2018161752.tif 000120
【図１１Ｍ】
2018161752.tif 000121
【図１１Ｎ】
2018161752.tif 000122
【図１１Ｐ】
2018161752.tif 000123
【図１２Ａ】
2018161752.tif 000124
【図１２Ｂ】
2018161752.tif 000125
【図１２Ｃ】
2018161752.tif 000126
【図１２Ｄ】
2018161752.tif 000127
【図１２Ｅ】
2018161752.tif 000128
【図１２Ｆ】
2018161752.tif 000129
【図１２Ｇ】
2018161752.tif 000130
【図１３Ａ】
2018161752.tif 000131
【図１３Ｂ】
2018161752.tif 000132
【図１３Ｃ】
2018161752.tif 000133
【図１３Ｄ】
2018161752.tif 000134
【図１３Ｅ】
2018161752.tif 000135
【図１３Ｆ】
2018161752.tif 000136
【図１３Ｇ】
2018161752.tif 000137
【図１４Ａ】
2018161752.tif 000138
【図１４Ｂ】
2018161752.tif 000139
【図１４Ｃ】
2018161752.tif 000140
【図１４Ｄ】
2018161752.tif 000141
【図１４Ｅ】
2018161752.tif 000142
【図１４Ｆ】
2018161752.tif 000143
【図１４Ｇ】
2018161752.tif 000144
【図１４Ｈ】
2018161752.tif 000145
【図１４Ｊ】
2018161752.tif 000146
【図１４Ｋ】
2018161752.tif 000147
【図１４Ｌ】
2018161752.tif 000148
【図１４Ｍ】
2018161752.tif 000149
【図１４Ｎ】
2018161752.tif 000150
【図１４Ｐ】
2018161752.tif 000151
【図１５Ａ】
2018161752.tif 000152
【図１５Ｂ】
2018161752.tif 000153
【図１５Ｃ】
2018161752.tif 000154
【図１５Ｄ】
2018161752.tif 000155
【図１５Ｅ】
2018161752.tif 000156
【図１５Ｆ】
2018161752.tif 000157
【図１５Ｇ】
2018161752.tif 000158
【図１６Ａ】
2018161752.tif 000159
【図１６Ｂ】
2018161752.tif 000160
【図１６Ｃ】
2018161752.tif 000161
【図１６Ｄ】
2018161752.tif 000162
【図１６Ｅ】
2018161752.tif 000163
【図１６Ｆ】
2018161752.tif 000164
【図１６Ｇ】
2018161752.tif 000165
【図１７Ａ】
2018161752.tif 000166
【図１７Ｂ】
2018161752.tif 000167
【図１７Ｃ】
2018161752.tif 000168
【図１７Ｄ】
2018161752.tif 000169
【図１７Ｅ】
2018161752.tif 000170
【図１７Ｆ】
2018161752.tif 000171
【図１７Ｇ】
2018161752.tif 000172
【図１８Ａ】
2018161752.tif 000173
【図１８Ｂ】
2018161752.tif 000174
【図１８Ｃ】
2018161752.tif 000175
【図１８Ｄ】
2018161752.tif 000176
【図１８Ｅ】
2018161752.tif 000177
【図１８Ｆ】
2018161752.tif 000178
【図１８Ｇ】
2018161752.tif 000179
【図１９Ａ】
2018161752.tif 000180
【図１９Ｂ】
2018161752.tif 000181
【図１９Ｃ】
2018161752.tif 000182
【図１９Ｄ】
2018161752.tif 000183
【図１９Ｅ】
2018161752.tif 000184
【図１９Ｆ】
2018161752.tif 000185
【図１９Ｇ】
2018161752.tif 000186
【図２０Ａ】
2018161752.tif 000187
【図２０Ｂ】
2018161752.tif 000188
【図２０Ｃ】
2018161752.tif 000189
【図２０Ｄ】
2018161752.tif 000190
【図２０Ｅ】
2018161752.tif 000191
【図２０Ｆ】
2018161752.tif 000192
【図２０Ｇ】
2018161752.tif 000193
【図２１Ａ】
2018161752.tif 000194
【図２１Ｂ】
2018161752.tif 000195
【図２１Ｃ】
2018161752.tif 000196
【図２１Ｄ】
2018161752.tif 000197
【図２１Ｅ】
2018161752.tif 000198
【図２１Ｆ】
2018161752.tif 000199
【図２１Ｇ】
2018161752.tif 000200
【図２２Ａ】
2018161752.tif 000201
【図２２Ｂ】
2018161752.tif 000202
【図２２Ｃ】
2018161752.tif 000203
【図２２Ｄ】
2018161752.tif 000204
【図２２Ｅ】
2018161752.tif 000205
【図２２Ｆ】
2018161752.tif 000206
【図２２Ｇ】
2018161752.tif 000207
【図２３Ａ】
2018161752.tif 000208
【図２３Ｂ】
2018161752.tif 000209
【図２３Ｃ】
2018161752.tif 000210
【図２３Ｄ】
2018161752.tif 000211
【図２３Ｅ】
2018161752.tif 000212
【図２３Ｆ】
2018161752.tif 000213
【図２３Ｇ】
2018161752.tif 000214
【図２４Ａ】
2018161752.tif 000215
【図２４Ｂ】
2018161752.tif 000216
【図２４Ｃ】
2018161752.tif 000217
【図２４Ｄ】
2018161752.tif 000218
【図２４Ｅ】
2018161752.tif 000219
【図２４Ｆ】
2018161752.tif 000220
【図２４Ｇ】
2018161752.tif 000221
【図２５Ａ】
2018161752.tif 000222
【図２５Ｂ】
2018161752.tif 000223
【図２５Ｃ】
2018161752.tif 000224
【図２５Ｄ】
2018161752.tif 000225
【図２５Ｅ】
2018161752.tif 000226
【図２５Ｆ】
2018161752.tif 000227
【図２５Ｇ】
2018161752.tif 000228
【図２６Ａ】
2018161752.tif 000229
【図２６Ｂ】
2018161752.tif 000230
【図２６Ｃ】
2018161752.tif 000231
【図２６Ｄ】
2018161752.tif 000232
【図２６Ｅ】
2018161752.tif 000233
【図２６Ｆ】
2018161752.tif 000234
【図２６Ｇ】
2018161752.tif 000235
【図２７Ａ】
2018161752.tif 000236
【図２７Ｂ】
2018161752.tif 000237
【図２７Ｃ】
2018161752.tif 000238
【図２７Ｄ】
2018161752.tif 000239
【図２７Ｅ】
2018161752.tif 000240
【図２７Ｆ】
2018161752.tif 000241
【図２７Ｇ】
2018161752.tif 000242
【図２８Ａ】
2018161752.tif 000243
【図２８Ｂ】
2018161752.tif 000244
【図２８Ｃ】
2018161752.tif 000245
【図２８Ｄ】
2018161752.tif 000246
【図２８Ｅ】
2018161752.tif 000247
【図２８Ｆ】
2018161752.tif 000248
【図２８Ｇ】
2018161752.tif 000249
【図２９Ａ】
2018161752.tif 000250
【図２９Ｂ】
2018161752.tif 000251
【図２９Ｃ】
2018161752.tif 000252
【図２９Ｄ】
2018161752.tif 000253
【図２９Ｅ】
2018161752.tif 000254
【図２９Ｆ】
2018161752.tif 000255
【図２９Ｇ】
2018161752.tif 000256
【図３０Ａ】
2018161752.tif 000257
【図３０Ｂ】
2018161752.tif 000258
【図３０Ｃ】
2018161752.tif 000259
【図３０Ｄ】
2018161752.tif 000260
【図３０Ｅ】
2018161752.tif 000261
【図３０Ｆ】
2018161752.tif 000262
【図３０Ｇ】
2018161752.tif 000263
【図３１Ａ】
2018161752.tif 000264
【図３１Ｂ】
2018161752.tif 000265
【図３１Ｃ】
2018161752.tif 000266
【図３１Ｄ】
2018161752.tif 000267
【図３１Ｅ】
2018161752.tif 000268
【図３１Ｆ】
2018161752.tif 000269
【図３１Ｇ】
2018161752.tif 000270
【図３２Ａ】
2018161752.tif 000271
【図３２Ｂ】
2018161752.tif 000272
【図３２Ｃ】
2018161752.tif 000273
【図３２Ｄ】
2018161752.tif 000274
【図３２Ｅ】
2018161752.tif 000275
【図３２Ｆ】
2018161752.tif 000276
【図３２Ｇ】
2018161752.tif 000277
【図３３Ａ】
2018161752.tif 000278
【図３３Ｂ】
2018161752.tif 000279
【図３３Ｃ】
2018161752.tif 000280
【図３３Ｄ】
2018161752.tif 000281
【図３３Ｅ】
2018161752.tif 000282
【図３３Ｆ】
2018161752.tif 000283
【図３３Ｇ】
2018161752.tif 000284
【図３３Ｈ】
2018161752.tif 000285
【図３３Ｊ】
2018161752.tif 000286
【図３３Ｋ】
2018161752.tif 000287
【図３３Ｌ】
2018161752.tif 000288
【図３３Ｍ】
2018161752.tif 000289
【図３３Ｎ】
2018161752.tif 000290
【図３３Ｐ】
2018161752.tif 000291
【図３４Ａ】
2018161752.tif 000292
【図３４Ｂ】
2018161752.tif 000293
【図３４Ｃ】
2018161752.tif 000294
【図３４Ｄ】
2018161752.tif 000295
【図３４Ｅ】
2018161752.tif 000296
【図３４Ｆ】
2018161752.tif 000297
【図３４Ｇ】
2018161752.tif 000298
【図３５Ａ】
2018161752.tif 000299
【図３５Ｂ】
2018161752.tif 000300
【図３５Ｃ】
2018161752.tif 000301
【図３５Ｄ】
2018161752.tif 000302
【図３５Ｅ】
2018161752.tif 000303
【図３５Ｆ】
2018161752.tif 000304
【図３５Ｇ】
2018161752.tif 000305
【図３６Ａ】
2018161752.tif 000306
【図３６Ｂ】
2018161752.tif 000307
【図３６Ｃ】
2018161752.tif 000308
【図３６Ｄ】
2018161752.tif 000309
【図３６Ｅ】
2018161752.tif 000310
【図３６Ｆ】
2018161752.tif 000311
【図３６Ｇ】
2018161752.tif 000312
【図３７Ａ】
2018161752.tif 000313
【図３７Ｂ】
2018161752.tif 000314
【図３７Ｃ】
2018161752.tif 000315
【図３７Ｄ】
2018161752.tif 000316
【図３７Ｅ】
2018161752.tif 000317
【図３７Ｆ】
2018161752.tif 000318
【図３７Ｇ】
2018161752.tif 000319
【図３８Ａ】
2018161752.tif 000320
【図３８Ｂ】
2018161752.tif 000321
【図３８Ｃ】
2018161752.tif 000322
【図３８Ｄ】
2018161752.tif 000323
【図３８Ｅ】
2018161752.tif 000324
【図３８Ｆ】
2018161752.tif 000325
【図３８Ｇ】
2018161752.tif 000326
【図３９Ａ】
2018161752.tif 000327
【図３９Ｂ】
2018161752.tif 000328
【図３９Ｃ】
2018161752.tif 000329
【図３９Ｄ】
2018161752.tif 000330
【図３９Ｅ】
2018161752.tif 000331
【図３９Ｆ】
2018161752.tif 000332
【図３９Ｇ】
2018161752.tif 000333
【図４０Ａ】
2018161752.tif 000334
【図４０Ｂ】
2018161752.tif 000335
【図４０Ｃ】
2018161752.tif 000336
【図４０Ｄ】
2018161752.tif 000337
【図４０Ｅ】
2018161752.tif 000338
【図４０Ｆ】
2018161752.tif 000339
【図４０Ｇ】
2018161752.tif 000340
【図４１Ａ】
2018161752.tif 000341
【図４１Ｂ】
2018161752.tif 000342
【図４１Ｃ】
2018161752.tif 000343
【図４１Ｄ】
2018161752.tif 000344
【図４１Ｅ】
2018161752.tif 000345
【図４１Ｆ】
2018161752.tif 000346
【図４１Ｇ】
2018161752.tif 000347
【図４１Ｈ】
2018161752.tif 000348
【図４１Ｊ】
2018161752.tif 000349
【図４１Ｋ】
2018161752.tif 000350
【図４１Ｌ】
2018161752.tif 000351
【図４１Ｍ】
2018161752.tif 000352
【図４１Ｎ】
2018161752.tif 000353
【図４１Ｐ】
2018161752.tif 000354
【図４２Ａ】
2018161752.tif 000355
【図４２Ｂ】
2018161752.tif 000356
【図４２Ｃ】
2018161752.tif 000357
【図４２Ｄ】
2018161752.tif 000358
【図４２Ｅ】
2018161752.tif 000359
【図４２Ｆ】
2018161752.tif 000360
【図４２Ｇ】
2018161752.tif 000361
【図４３Ａ】
2018161752.tif 000362
【図４３Ｂ】
2018161752.tif 000363
【図４３Ｃ】
2018161752.tif 000364
【図４３Ｄ】
2018161752.tif 000365
【図４３Ｅ】
2018161752.tif 000366
【図４３Ｆ】
2018161752.tif 000367
【図４３Ｇ】
2018161752.tif 000368
【図４４Ａ】
2018161752.tif 000369
【図４４Ｂ】
2018161752.tif 000370
【図４４Ｃ】
2018161752.tif 000371
【図４４Ｄ】
2018161752.tif 000372
【図４４Ｅ】
2018161752.tif 000373
【図４４Ｆ】
2018161752.tif 000374
【図４４Ｇ】
2018161752.tif 000375
【図４５Ａ】
2018161752.tif 000376
【図４５Ｂ】
2018161752.tif 000377
【図４５Ｃ】
2018161752.tif 000378
【図４５Ｄ】
2018161752.tif 000379
【図４５Ｅ】
2018161752.tif 000380
【図４５Ｆ】
2018161752.tif 000381
【図４５Ｇ】
2018161752.tif 000382